(57)【特許請求の範囲】
【請求項１】
パケット化された音声データを伝送する音声データ伝送路を介してIP電話網に接続されると共に、少なくとも複数の電話機又は公衆交換電話網に接続された複数の局線に接続され、前記各電話機からの音声データを時分割された音声データに変換する複数の回線モジュールと、
前記音声データ伝送路と前記各回線モジュールにそれぞれ接続され、前記複数の回線モジュールのうち指定の回線モジュール間の音声交換を行うスイッチモジュールと、
前記音声データ伝送路に接続されるモジュールであって、前記各電話機の種別と位置が前記各電話機からの発呼要求に対応づけられた電話機情報と、前記各電話機の電話番号が前記各電話機からのダイヤル情報に対応づけられた番号情報と、前記各電話機を呼制御するための呼制御情報とを含む管理情報を基に、前記各回線モジュールと、前記スイッチモジュールを少なくとも管理対象として管理する主制御モジュールと、を有し、
前記複数の回線モジュールのうちいずれか一つの回線モジュールは、前記いずれかの電話機から出力されるプッシュボタン信号をダイヤル情報に変換するプッシュボタン受信機を有し、
前記主制御モジュールは、
前記電話機から発呼要求を受信した場合、前記受信した発呼要求と前記電話機情報を基に通話元となる通話元電話機の種別と位置を特定し、前記呼制御情報を基に前記特定した通話元電話機に対する呼制御を実行し、前記通話元電話機からダイヤル情報を受信した場合、前記受信したダイヤル情報と前記番号情報を基に前記通話元電話機の通話先となる通話先電話機を特定し、前記管理情報のうち前記特定した通話元電話機と前記通話先電話機に関する管理情報を基に、音声接続パス接続要求の発行先を特定し、
前記音声接続パス接続要求の発行先が、前記通話元電話機に接続される回線モジュールと、当該回線モジュールとは異なるモジュールであって前記通話先電話機に接続される回線モジュールと、前記スイッチモジュールであると判別した場合、前記通話元電話機に接続される回線モジュールと、前記通話先電話機に接続される回線モジュール及び前記スイッチモジュールにそれぞれ前記音声接続パス接続要求を出力し、
前記通話元電話機に接続される回線モジュールは、前記主制御モジュールから受信した音声接続パス接続要求を基に前記通話元電話機と前記スイッチモジュールとを結ぶ音声パスを形成し、
前記通話先電話機に接続される回線モジュールは、前記主制御モジュールから受信した音声接続パス接続要求を基に前記通話先電話機と前記スイッチモジュールとを結ぶ音声パスを形成し、
前記スイッチモジュールは、前記主制御モジュールから受信した音声接続パス接続要求を基に、前記通話元電話機に接続される回線モジュールからの音声データを前記通話先電話機に接続される回線モジュールに転送するための音声パスを形成し、
さらに、前記主制御モジュールは、
前記受信した発呼要求と前記電話機情報を基に前記通話元電話機の種別が、プッシュボタン電話機であると特定した場合、前記プッシュボタン受信機が存在する回線モジュールを介して前記プッシュボタン受信機を捕捉し、前記プッシュボタン受信機を捕捉したことを条件に、前記通話元電話機に接続される回線モジュールと、前記プッシュボタン受信機が存在する回線モジュール及び前記スイッチモジュールにそれぞれプッシュボタン信号用音声パス接続要求を出力し、
前記通話元電話機に接続される回線モジュールは、前記主制御モジュールから受信したプッシュボタン信号用音声パス接続要求を基に前記通話元電話機と前記スイッチモジュールとを結ぶプッシュボタン信号送出音声パスを形成し、
前記プッシュボタン受信機が存在する回線モジュールは、前記主制御モジュールから受信したプッシュボタン信号用音声パス接続要求を基に前記プッシュボタン受信機と前記スイッチモジュールとを結ぶプッシュボタン信号送出音声パスを形成し、
前記スイッチモジュールは、前記主制御モジュールから受信したプッシュボタン信号用音声パス接続要求を基に、前記通話元電話機に接続される回線モジュールからのプッシュボタン信号を前記プッシュボタン受信機が存在する回線モジュールに転送するためのプッシュボタン信号送出音声パスを形成することを特徴とする通話音声交換システム。
【請求項２】
パケット化された音声データを伝送する音声データ伝送路を介してIP電話網に接続されると共に、少なくとも複数の電話機又は公衆交換電話網に接続された複数の局線に接続され、前記各電話機からの音声データを時分割された音声データに変換する複数の回線モジュールと、
前記音声データ伝送路と前記各回線モジュールにそれぞれ接続され、前記複数の回線モジュールのうち指定の回線モジュール間の音声交換を行うスイッチモジュールと、
前記音声データ伝送路に接続されるモジュールであって、前記各電話機の種別と位置が前記各電話機からの発呼要求に対応づけられた電話機情報と、前記各電話機の電話番号が前記各電話機からのダイヤル情報に対応づけられた番号情報と、前記各電話機を呼制御するための呼制御情報とを含む管理情報を基に、前記各回線モジュールと、前記スイッチモジュールを少なくとも管理対象として管理する主制御モジュールと、
前記主制御モジュールが存在するセンター拠点から離れたリモート拠点に配置され、前記センター拠点に存在する前記各回線モジュールと同一の機能を有する複数のリモート用回線モジュールを有し、
前記複数の回線モジュール又は前記複数のリモート用回線モジュールのうちいずれか一つの回線モジュールは、前記いずれかの電話機から出力されるプッシュボタン信号をダイヤル情報に変換するプッシュボタン受信機を有し、
前記主制御モジュールは、
前記電話機から発呼要求を受信した場合、前記受信した発呼要求と前記電話機情報を基に通話元となる通話元電話機の種別と位置を特定し、前記呼制御情報を基に前記特定した通話元電話機に対する呼制御を実行し、前記通話元電話機からダイヤル情報を受信した場合、前記受信したダイヤル情報と前記番号情報を基に前記通話元電話機の通話先となる通話先電話機を特定し、前記管理情報のうち前記特定した通話元電話機と前記通話先電話機に関する管理情報を基に、音声接続パス接続要求の発行先を特定し、
前記音声接続パス接続要求の発行先が、前記センター拠点に存在する回線モジュールであって、前記通話元電話機に接続される回線モジュールと、前記リモート拠点に存在するリモート用回線モジュールであって、前記通話先電話機に接続されるリモート用回線モジュールであると判別した場合、前記通話元電話機に接続される回線モジュールと、前記通話先電話機に接続されるリモート用回線モジュールにそれぞれ前記音声接続パス接続要求を出力し、
前記通話元電話機に接続される回線モジュールは、前記主制御モジュールから受信した音声接続パス接続要求を基に前記通話元電話機と前記音声データ伝送路とを結ぶ音声パスを形成し、
前記通話先電話機に接続されるリモート用回線モジュールは、前記主制御モジュールから受信した音声接続パス接続要求を基に前記通話先電話機と前記音声データ伝送路とを結ぶ音声パスを形成し、
さらに、前記主制御モジュールは、
前記受信した発呼要求と前記電話機情報を基に前記通話元電話機の種別が、プッシュボタン電話機であると特定した場合、前記プッシュボタン受信機が存在する回線モジュールを介して前記プッシュボタン受信機を捕捉し、前記プッシュボタン受信機を捕捉したことを条件に、前記通話元電話機に接続される回線モジュールと、前記プッシュボタン受信機が存在する回線モジュール及び前記スイッチモジュールにそれぞれプッシュボタン信号用音声パス接続要求を出力し、
前記通話元電話機に接続される回線モジュールは、前記主制御モジュールから受信したプッシュボタン信号用音声パス接続要求を基に前記通話元電話機と前記スイッチモジュールとを結ぶプッシュボタン信号送出音声パスを形成し、
前記プッシュボタン受信機が存在する回線モジュールは、前記主制御モジュールから受信したプッシュボタン信号用音声パス接続要求を基に前記プッシュボタン受信機と前記スイッチモジュールとを結ぶプッシュボタン信号送出音声パスを形成し、
前記スイッチモジュールは、前記主制御モジュールから受信したプッシュボタン信号用音声パス接続要求を基に、前記通話元電話機に接続される回線モジュールからのプッシュボタン信号を前記プッシュボタン受信機が存在する回線モジュールに転送するためのプッシュボタン信号送出音声パスを形成することを特徴とする通話音声交換システム。
【請求項３】
請求項１に記載の通話音声交換システムであって、
前記スイッチモジュールは、
現用系のスイッチモジュールと、予備系のスイッチモジュールとから構成され、前記現用系のスイッチモジュールと前記予備系のスイッチモジュールが、スイッチモジュール用系間交絡の経路を介して接続され、
前記現用系のスイッチモジュールは、
前記通話元電話機に接続される回線モジュールからの音声データを前記通話先電話機に接続される回線モジュールに転送するための音声パスであって、現用系の音声パスが形成されたことを条件に、前記現用系の音声パスの接続情報を前記スイッチモジュール用系間交絡の経路を介して前記予備系のスイッチモジュールにコピーし、
前記予備系のスイッチモジュールは、
前記コピーされた現用系の音声パスの接続情報を基に、前記通話元電話機に接続される回線モジュールからの音声データを前記通話先電話機に接続される回線モジュールに転送するための音声パスであって、予備系の音声パスを形成し、
前記主制御モジュールは、
前記現用系の音声パスが形成された後、前記現用系のスイッチモジュールに故障が生じた場合に、前記現用系のスイッチモジュールから前記予備系のスイッチモジュールへ切り替え、前記現用系の音声パスを、前記予備系の音声パスに切り替えることを特徴とする通話音声交換システム。
【請求項４】
請求項１に記載の通話音声交換システムであって、
前記各回線モジュールは、
現用系の回線モジュールと、予備系の回線モジュールとから構成され、前記現用系の回線モジュールと前記予備系の回線モジュールが、回線モジュール用系間交絡の経路を介して接続され、
前記通話元電話機に接続される回線モジュールであって、前記現用系の第１の回線モジュールは、
前記通話元電話機と前記スイッチモジュールとを結ぶ音声パスであって、現用系の第１の音声パスが形成されたことを条件に、前記現用系の第１の音声パスの接続情報を前記回線モジュール用系間交絡の経路を介して前記予備系の第１の回線モジュールにコピーし、
前記予備系の第１の回線モジュールは、
前記コピーされた現用系の第１の音声パスの接続情報を基に、前記通話元電話機と前記スイッチモジュールとを結ぶ音声パスであって、予備系の第１の音声パスを形成し、
前記通話先電話機に接続される回線モジュールであって、前記現用系の第２の回線モジュールは、
前記通話先電話機と前記スイッチモジュールとを結ぶ音声パスであって、現用系の第２の音声パスが形成されたことを条件に、前記現用系の第２の音声パスの接続情報を前記回線モジュール用系間交絡の経路を介して前記予備系の第２の回線モジュールにコピーし、
前記予備系の第１の回線モジュールは、
前記コピーされた現用系の第１の音声パスの接続情報を基に、前記通話元電話機と前記スイッチモジュールとを結ぶ音声パスであって、予備系の第１の音声パスを形成し、
前記予備系の第２の回線モジュールは、
前記コピーされた現用系の第２の音声パスの接続情報を基に、前記通話先電話機と前記スイッチモジュールとを結ぶ音声パスであって、予備系の第２の音声パスを形成し、
前記主制御モジュールは、
前記現用系の第１の音声パスと第２の音声パスが形成された後、前記現用系のいずれかの回線モジュールに故障が生じた場合に、前記現用系の回線モジュールから前記予備系の回線モジュールへ切り替え、前記現用系の第１の音声パスと第２の音声パスを、前記予備系の第１の音声パスと第２の音声パスに切り替えることを特徴とする通話音声交換システム。
【発明の詳細な説明】
【技術分野】
【０００１】
本発明は、公衆交換電話網とIP（Internet  Protocol）電話網との間に、パケット化された音声データを伝送する音声データ伝送路を有する通話音声交換システム及びその方法に関する。
【背景技術】
【０００２】
近年、通信ネットワークの高速化に伴い、IP電話網を介して音声通話することが主流となっている。この際、公衆交換電話網（以下、電話網と称することがある。）とIP電話網（以下、IP網と称することがある。）との間で通信プロトコル変換を行うゲートウェイ機能を有し、公衆交換電話網とIP電話網との間で、音声通信およびデータ通信などの各種通信を実現するIP通信インタフェース装置が提案されている（特許文献１参照）。また、固定電話網からIP電話網への置き換えを可能にするIP通信システムとして、固定電話網およびIP電話網に収容される各端末間の通信と、IP電話網内に収容される各端末間の通信とを並存して通信するIP通信システムが提案されている（特許文献２参照）。
【先行技術文献】
【特許文献】
【０００３】
【特許文献１】特開２００１−１８６１９３号公報
【特許文献２】特開２０１０−２６３３５９号公報
【発明の概要】
【発明が解決しようとする課題】
【０００４】
電話網とIP網を統合したシステムを構築する場合、ユーザによっては、電話網が主体で、IP網を必要としないか、あるいはIP網を必要としても規模の小さいシステムを構築するケースや、逆に、IP網が主体で、電話網を必要としないか、あるいは電話網を必要としても規模の小さいシステムを構築するケースなど様々である。
【０００５】
また、電話網とIP網との間の通信経路に、RTP（Realtime  Transport  Protocol）パケット化された音声データを伝送する場合、音声データは、常に、一定の間隔で伝送されず、また、伝送距離により不確定の遅延を生ずる。このようにばらついて到達する音声データを再生するためには、受信した音声データを一定のサンプリング周期（例えば、８kHz）に戻す必要があり、ある程度の量の音声データを蓄積してから処理する必要があるため、大きな遅延となる。これがエコーとなって音声品質が劣化することがある。
【０００６】
このため、電話網とIP網との間の通信経路に、RTPパケット化された音声データを伝送することを考慮すると、特許文献１または特許文献２に記載されている方法を採用しても、音声品質の劣化を防止することはできない。即ち、特許文献１または特許文献２に記載されている方法は、IP網を主軸として、電話網からIP網への変換や置き換えを主体としたシステムを構築することはできる。しかし、電話網とIP網との間に介在する通信経路のみを用いたのでは、音声品質の劣化を防止することはできない。
【０００７】
本発明は、前記従来技術の課題に鑑みて為されたものであり、その目的は、音声品質を基準に、通話元電話機と通話先電話機とを結ぶ音声パスを形成することができる通話音声交換システム及びその方法を提供することにある。
【課題を解決するための手段】
【０００８】
前記目的を達成するために、本発明は、パケット化された音声データを伝送する音声データ伝送路を介してIP電話網に接続されると共に、少なくとも複数の電話機又は公衆交換電話網に接続された複数の局線に接続され、前記各電話機からの音声データを時分割された音声データに変換する複数の回線モジュールと、前記音声データ伝送路と前記各回線モジュールにそれぞれ接続され、前記複数の回線モジュールのうち指定の回線モジュール間の音声交換を行うスイッチモジュールと、前記音声データ伝送路に接続されるモジュールであって、前記各電話機の種別と位置が前記各電話機からの発呼要求に対応づけられた電話機情報と、前記各電話機の電話番号が前記各電話機からのダイヤル情報に対応づけられた番号情報と、前記各電話機を呼制御するための呼制御情報とを含む管理情報を基に、前記各回線モジュールと、前記スイッチモジュールを少なくとも管理対象として管理する主制御モジュールと、を有し、前記主制御モジュールは、前記電話機から発呼要求を受信した場合、前記受信した発呼要求と前記電話機情報を基に通話元となる通話元電話機の種別と位置を特定し、前記呼制御情報を基に前記特定した通話元電話機に対する呼制御を実行し、前記通話元電話機からダイヤル情報を受信した場合、前記受信したダイヤル情報と前記番号情報を基に前記通話元電話機の通話先となる通話先電話機を特定し、前記管理情報のうち前記特定した通話元電話機と前記通話先電話機に関する管理情報を基に、音声接続パス接続要求の発行先を特定し、前記特定した発行先に前記音声接続パス接続要求を出力し、前記音声接続パス接続要求を受信した前記発行先は、前記受信した音声接続パス接続要求を基に前記通話元電話機と前記通話先電話機とを結ぶ音声パスの少なくとも一部を形成することを特徴とする。
【発明の効果】
【０００９】
本発明によれば、音声品質を基準に、通話元電話機と通話先電話機とを結ぶ音声パスを形成することができる。
【図面の簡単な説明】
【００１０】
【図１】通話音声交換システムの全体構成図である。
【図２】異なるモジュール間の音声交換を行うタイムスイッチの割り当てを説明するための構成図である。
【図３】回線モジュール内のタイムスイッチの接続系統を説明するための構成図である。
【図４】スイッチモジュール内のタイムスイッチの接続系統を説明するための構成図である。
【図５】同一拠点内の同一回線モジュール間のアナログ電話機からダイヤルパルス局線発信するときの動作を説明するための構成図である。
【図６】同一拠点内の同一回線モジュール間のアナログ電話機からダイヤルパルス局線発信するときの動作を説明するための呼制御動作シーケンスである。
【図７】同一拠点内のIP電話機間の発着信通話を説明するための構成図である。
【図８】同一拠点内のIP電話機間の発着信通話を説明するための呼制御動作シーケンスである。
【図９】同一拠点内の異なる回線モジュール間のアナログ電話機のダイヤルパルス発着信通話を説明するための構成図である。
【図１０】同一拠点内の異なる回線モジュール間のアナログ電話機のダイヤルパルス発着信通話を説明するための呼制御動作シーケンスである。
【図１１】同一拠点内の異なる回線モジュール間のアナログ電話機からPBダイヤルにてIP電話機と通話するときの動作を説明するための構成図である。
【図１２】同一拠点内の異なる回線モジュール間のアナログ電話機からPBダイヤルにてIP電話機と通話するときの動作を説明するための呼制御動作シーケンスである。
【図１３】同一拠点内の異なる回線モジュール間のアナログ電話機からPBダイヤルにてIP電話機と通話するときの動作を説明するための呼制御動作シーケンスである。
【図１４】異なる拠点の異なる回線モジュール間のアナログ電話機のダイヤルパルス発着信通話を説明するための構成図であって、センター拠点の構成図である。
【図１５】異なる拠点の異なる回線モジュール間のアナログ電話機のダイヤルパルス発着信通話を説明するための構成図であって、リモート拠点の構成図である。
【図１６】異なる拠点の異なる回線モジュール間のアナログ電話機のダイヤルパルス発着信通話を説明するための呼制御動作シーケンスである。
【図１７】異なる拠点間の回線モジュール間のアナログ電話機のダイヤルパルス発着信通話を説明するための構成図であって、センター拠点の構成図である。
【図１８】異なる拠点間の回線モジュール間のアナログ電話機のダイヤルパルス発着信通話を説明するための構成図であって、リモート拠点の構成図である。
【図１９】異なる拠点間の回線モジュール間のアナログ電話機のダイヤルパルス発着信通話を説明するための呼制御動作シーケンスである。
【図２０】異なる拠点間の異なる回線モジュール間のアナログ電話機からPBダイヤルにて局線発信するときの動作を説明するための構成図であって、センター拠点の構成図である。
【図２１】異なる拠点間の異なる回線モジュール間のアナログ電話機からPBダイヤルにて局線発信するときの動作を説明するための構成図であって、リモート拠点の構成図である。
【図２２】異なる拠点間の異なる回線モジュール間のアナログ電話機からPBダイヤルにて局線発信するときの動作を説明するための呼制御動作シーケンスである。
【図２３】異なる拠点間の異なる回線モジュール間のアナログ電話機からPBダイヤルにて局線発信するときの動作を説明するための呼制御動作シーケンスである。
【図２４】通話音声交換システムを二重化した構成図である。
【図２５】通話音声交換システムを二重化した構成図である。
【図２６】二重化した際の音声データ伝送路の切り替えを説明するための構成図である。
【図２７】二重化した際のIPアドレスの切り替えを説明するためのシーケンスである。
【図２８】二重化した通話音声交換システムでの同一回線モジュール間のアナログ電話機からダイヤルパルス局線発信動作を説明するための構成図である。
【図２９】二重化した通話音声交換システムでの同一回線モジュール間のアナログ電話機からダイヤルパルス局線発信動作を説明するための構成図である。
【図３０】二重化した通話音声交換システムでの同一回線モジュール間のアナログ電話機からダイヤルパルス局線発信動作を説明するための呼制御動作シーケンスである。
【図３１】二重化した通話音声交換システムでの異なる回線モジュール間のアナログ電話機からPBダイヤルにてIP電話機と通話するときの動作を説明するための構成図である。
【図３２】二重化した通話音声交換システムでの異なる回線モジュール間のアナログ電話機からPBダイヤルにてIP電話機と通話するときの動作を説明するための構成図である。
【図３３】二重化した通話音声交換システムでの異なる回線モジュール間のアナログ電話機からPBダイヤルにてIP電話機と通話するときの動作を説明するための呼制御動作シーケンスである。
【図３４】二重化した通話音声交換システムでの異なる回線モジュール間のアナログ電話機からPBダイヤルにてIP電話機と通話するときの動作を説明するための呼制御動作シーケンスである。
【図３５】二重化した通話音声交換システムでの異なる回線モジュール間のアナログ電話機からPBダイヤルにてIP電話機と通話するときの動作を説明するための呼制御動作シーケンスである。
【図３６】二重化した通話音声交換システムでの異なる回線モジュール間のアナログ電話機のダイヤルパルス発着信通話の動作を説明するための構成図である。
【図３７】二重化した通話音声交換システムでの異なる回線モジュール間のアナログ電話機のダイヤルパルス発着信通話の動作を説明するための構成図である。
【図３８】二重化した通話音声交換システムでの異なる回線モジュール間のアナログ電話機のダイヤルパルス発着信通話の動作を説明するための呼制御動作シーケンスである。
【図３９】二重化した通話音声交換システムでの異なる回線モジュール間のアナログ電話機のダイヤルパルス発着信通話の動作を説明するための呼制御動作シーケンスである。
【発明を実施するための形態】
【００１１】
以下、本発明の一実施例を図面に基づいて説明する。
【００１２】
（第１実施例）
図１は、第１実施例における通話音声交換システムの全体構成図である。図１において、通話音声交換システムは、主制御モジュール１０１と、LAN（Local  Area  Network）１０４と、IP網１０５と、スイッチモジュール１０６と、＃１の回線モジュール１０９と、＃２の回線モジュール１１８と、IP端末を構成する複数のIP電話機１２６、１１２７などから構成される。主制御モジュール１０１と、スイッチモジュール１０６と、回線モジュール１０９、１１８と、IP網１０５、及びIP電話機１２６、１２７は、それぞれLAN１０４に接続される。
【００１３】
回線モジュール１０９には、内線電話機を構成する複数のアナログ電話機１１５と、電話網（公衆交換電話網）に接続された複数の局線１１７が接続され、回線モジュール１１８には、内線電話機を構成する複数のアナログ電話機１２５が接続される。
【００１４】
主制御モジュール１０１は、通話音声交換システム全体を統括制御するモジュールであって、中央制御装置（以下、CCと称することがある。）１０２と、信号処理装置（以下、SCと称することがある。）１０３から構成される。
【００１５】
CC１０２は、アナログ電話機（以下、電話機と称することがある。）１１５、１２５またはIP電話機１２６、１２７の種別と位置を管理すると共に、電話機１１５、１２５とIP電話機１２６、１２７の電話番号を管理する。
【００１６】
ここで、電話機の種別とは、電話機が、アナログ電話機であってダイヤルパルスを発信する電話機であるか、PBダイヤル式のアナログ電話機であって、PBダイヤルであるか、あるいは、IP電話機であるかを特定する情報である。また、電話機の位置とは、アナログ電話機またはIP電話機が存在する位置が、センター拠点あるいはリモート拠点であるかを特定する情報である。
【００１７】
SC１０３は、呼制御情報などの各種情報をCC１０２で送受信可能な信号に変換する。例えば、SC１０３は、呼制御情報などの各種情報を、LAN１０４上を伝送可能な信号や情報に変換するとともに、LAN１０４上の信号や情報をCC１０２が識別可能な情報に変換する。この際、主制御モジュール１０１は、CC１０２とSC１０３の処理により、電話機１１５、１２５、IP電話機１２６、１２７の発着信通話などを集約して制御する。
【００１８】
例えば、主制御モジュール１０１は、電話機１１５、１２５、IP電話機１２６、１２７等の各電話機の種別と位置が、各電話機からの発呼要求に対応づけられた電話機情報と、各電話機の電話番号が、各電話機からのダイヤル情報に対応づけられた番号情報と、各電話機を呼制御するための呼制御情報とを含む管理情報を基に、各回線モジュール１０９、１１８と、スイッチモジュール１０６を少なくとも管理対象として管理する。
【００１９】
この際、主制御モジュール１０１は、電話機から発呼要求を受信した場合、受信した発呼要求と電話機情報を基に通話元となる通話元電話機の種別と位置を特定し、呼制御情報を基に特定した通話元電話機に対する呼制御を実行し、通話元電話機からダイヤル情報を受信した場合、受信したダイヤル情報と番号情報を基に通話元電話機の通話先となる通話先電話機を特定し、管理情報のうち特定した通話元電話機と通話先電話機に関する管理情報を基に、音声接続パス接続要求の発行先を特定し、特定した発行先に音声接続パス接続要求を出力する。
【００２０】
この場合、音声接続パス接続要求を受信した発行先、例えば、各回線モジュール１０９、１１８またはスイッチモジュール１０６は、受信した音声接続パス接続要求を基に通話元電話機と通話先電話機とを結ぶ音声パスの少なくとも一部を形成するための処理を実行する。
【００２１】
LAN１０４は、IP網１０５と電話網との間に介在する通信経路であって、パケット化された呼制御情報と、パケット化された音声データを構成する。LAN１０４上には、パケット化された呼制御情報とパケット化されたPCM音声データが伝送する。
【００２２】
スイッチモジュール１０６は、タイムスイッチ用信号処理装置（以下、TSWSCと称することがある。）１０７と、タイムスイッチ（以下、TSWと称することがある。）１０８から構成される。
【００２３】
TSWSC１０７は、LAN１０４上のパケット化された呼制御情報をTSW１０８で送受信可能な信号に変換する。TSW１０８は、回線モジュール１０９と回線モジュール１１８に接続され、TSWSC１０７からの信号を基に、回線モジュール１０９と回線モジュール１１８とを結ぶ通話経路であって、時分割多重されたPCM音声データの伝送路（チャネル）を切り替えるための音声交換を行う。ここで、音声交換とは、時分割多重されたPCM音声データの伝送路（チャネル）を切り替えることを意味する。
【００２４】
回線モジュール１０９は、パケットユニット（以下、PUと称することがある。）１１０と、音声発生装置（以下、TGと称することがある。）１１１と、TSW１１２と、モジュールコントローラ（以下、MCNTと称することがある。）１１３と、内線回路（以下、LINと称することがある。）１１４と、局線回路（以下、COTと称することがある。）１１６から構成される。PU１１０は、LAN１０４に接続され、LIN１１４は、電話機１１５に接続され、COT１１６は、局線１１７に接続される。
【００２５】
PU１１０は、TSW１１２とMCNT１１３に接続され、LAN１０４上のパケット化された呼制御情報およびPCM音声データを、回線モジュール１０９内で送受信可能な信号に変換する。
【００２６】
TG１１１は、電話機１１５から聴取する発信音や呼出音などの音源を生成する。
TSW１１２は、TG１１１と、TSW１０８及びMCNT１１３に接続され、時分割多重されたPCM音声データを伝送する伝送路（チャネル）を切り替えるための音声交換を行う。
【００２７】
MCNT１１３は、TSW１１２と時分割多重されたPCM音声データの授受を行うとともに、PU１１０と呼制御情報の授受を行い、さらに、LIN１１４またはCOT１１６と呼制御情報または時分割多重されたPCM音声データの授受を行う。
【００２８】
LIN１１４は、複数の電話機１１５に接続され、各電話機１１５と各種信号や情報の授受を行う回線インタフェースとして機能し、アナログ音声と時分割されたPCM音声データの変換を行う。
【００２９】
COT１１６は、電話網（公衆交換電話網）に接続された複数の局線１１７に接続され、各局線１１７と各種信号や各種情報の授受を行う回線インタフェースとして機能し、アナログ音声と時分割されたPCM音声データの変換を行う。
【００３０】
回線モジュール１１８は、PU１１９と、TG１２０と、TSW１２１と、MCNT１２２と、プッシュボタン受信機（以下、PBRと称することがある。）１２３と、LIN１２４から構成される。
【００３１】
回線モジュール１１８は、COT１１６の代わりに、PBR１２３を配置したものであり、他の構成は、回線モジュール１０９と同様である。PBR１２３は、回線モジュール１０９、１１８のうちいずれかの回線モジュールに、PBダイヤル式のアナログ電話機が接続され、MCNT１２２からPB（プッシュボタン）ダイヤルによるプッシュボタン信号を受信した場合、プッシュボタン信号（PB信号）を、ダイヤル情報に変換し、変換したダイヤル情報をMCNT１２２に出力する。この際、全ての回線モジュール１０９、１１８にPBR１２３を配置する代わりに、回線モジュール１１８にのみPBR１２３を配置することで、構成の簡素化を図ることができる。
【００３２】
IP電話機１２６、１２７は、LAN１０４上のパケット化された呼制御情報およびパケット化されたPCM音声データを直接送受信する電話機として構成される。
【００３３】
なお、図１のシステムでは、回線モジュールとして、２つの回線モジュール１０９、１１８が設けられているが、回線モジュールは、２個に限らず、システムの規模に応じて３個以上設けることができる。この際、各回線モジュールは、スイッチモジュール１０６を介して互いに接続される。
【００３４】
次に、図２に、異なるモジュール間の音声交換を行うタイムスイッチの構成図を示す。図２において、回線モジュール１０９内のTSW１１２内には、＃０〜＃２５５のチャネル２０１が構築され、各チャネル２０１には、電話機１１５〜局線１１７が割り当てられる。同様に、回線モジュール１１８内のTSW１２１内には、＃０〜＃２５５のチャネル２０２が構築され、各チャネル２０２には、PBR１２３〜電話機１２５が割り当てられる。
【００３５】
また、スイッチモジュール１０６内のTSW１０８には、＃０〜＃nのチャネル２０３が構築されている。＃０〜＃nのチャネル２０３のうち、＃０〜＃２５５のチャネル２０３が、TSW１１２に割り当てられ、＃２５６〜＃５１１のチャネル２０３が、TSW１２１に割り当てられる。
【００３６】
この際、TSW１１２内の各チャネル２０１は、＃０〜＃２５５のチャネル２０３のうちいずれか一つのチャネル２０３と相互に接続される。TSW１２１内の各チャネル２０２は、＃２５６〜＃５１１のチャネル２０３のうちいずれか一つのチャネル２０３と相互に接続される。さらに、TSW１０８内の各チャネル２０３のうち、＃０〜＃２５５のチャネル２０３は、＃２５６〜＃５１１のチャネル２０３と相互に音声交換される。この際、１つの回線モジュールの最大チャネル数を増設単位として管理することで、ユーザの使用回線数に応じた物理的規模の交換システムを提供することができる。
【００３７】
なお、TSW１０８、１１２、１２１は、時分割多重されたPCM音声データを扱うため、RTPパケット化されたPCM音声データを扱うIP電話機１２６、１２７には、TSW１０８、１１２、１２１のチャネルは割り当てられていない。
【００３８】
次に、図３に、回線モジュール内のタイムスイッチの接続系統を説明するための構成図を示す。図３において、TSW１１２は、＃０〜＃２５５の入チャネル３０１と、タイムスイッチ３０２と、＃０〜＃２５５の出チャネル３０３と、＃０〜＃２５５のセレクタ３０４から構成される。
【００３９】
各入チャネル３０１は、入力側が、LIN１１４を介して電話機１１５に接続されるか、あるいは、COT１１６を介して局線１１７に接続され、出力側が、タイムスイッチ３０２、TSW１０８及びPU１１０に接続される。各入チャネル３０１は、電話機１１５または局線１１７からの音声データを出力する。この際、各入チャネル３０１とタイムスイッチ３０２との間に、経路３０５が形成され、各入チャネル３０１とTSW１０８との間に、経路３０６が形成され、各入チャネル３０１とPU１１０との間に、経路３０７が形成される。
【００４０】
タイムスイッチ３０２は、各入チャネル３０１から入力されたPCM音声データの伝送経路（チャネル）を切り替えるための音声交換を行い、音声交換されたPCM音声データを、各出チャネル３０３に出力する。各出チャネル３０３から出力されるPCM音声データは各セレクタ３０４に入力される。
【００４１】
各セレクタ３０４と各出チャネル３０３との間には、経路３０８が形成され、各セレクタ３０４とTSW１０８との間には、経路３０９が形成され、各セレクタ３０４とPU１１０との間には、経路３１０が形成される。各セレクタ３０４は、各経路３０８、３０９、３１０を伝送するPCM音声データのうちいずれか１つの経路からのPCM音声データを選択し、選択したPCM音声データを、MCNT１１３を介して、LIN１１４またはCOT１１６に出力する。この際、各セレクタ３０４は、回線モジュール１０９内に通話経路を形成する場合、経路３０８からのPCM音声データを選択し、回線モジュール１０９と回線モジュール１１８との間に通話経路を形成する場合、経路３０９からのPCM音声データを選択し、LAN１０４を通話経路として利用する場合、経路３１０からのPCM音声データを選択する。
【００４２】
次に、図４に、スイッチモジュール内のタイムスイッチの接続系統を説明するための構成図を示す。図４において、TSW１０８は、＃０〜＃nの入チャネル４０１と、タイムスイッチ４０２と、＃０〜＃nの出チャネル４０３から構成される。＃０〜＃２５５の入チャネルは、回線モジュール１０９のTSW１１２に接続され、＃２５６〜＃５１１の入チャネル４０１は回線モジュール１１８のTSW１２１に接続される。各入りチャネル４０１は、回線モジュール１０９のTSW１１２または回線モジュール１１８のTSW１２１から入力されたPCM音声データを入力し、入力したPCM音声データをタイムスイッチ４０２に出力する。タイムスイッチ４０２は、各入チャネル４０１から入力されたPCM音声データの音声交換を行い、音声交換が行われたPCM音声データを各出チャネル４０３に出力する。各出チャネル４０３は、タイムスイッチ４０２から入力されたPCM音声データを回線モジュール１１８のTSW１２１または回線モジュール１０９のTSW１１２に出力する。
【００４３】
次に、本実施例における発着信通話の動作を図５の構成図と図６の呼制御動作シーケンスに従って説明する。
【００４４】
まず、回線モジュール１０９に接続される電話機１１５がオフフックされ（６０１）、電話機１１５からオフフック信号が出力されると、LIN１１４から経路５０１にて発呼要求（６０２）が、MCNT１１３、PU１１０、LAN１０４、SC１０３経由でCC１０２へ送られる。
【００４５】
発呼要求（６０２）を受信したCC１０２は、経路５０２にて発信音送出要求（６０３）をSC１０３、LAN１０４、PU１１０経由でTSW１１２へ送信する。発信音送出要求（６０３）を受信したTSW１１２は、経路５０４のパスを接続する。これにより、TG１１１から、TSW１１２、MCNT１１３、LIN１１４経由で電話機１１５へ発信音が送出される（６０４）。
【００４６】
次に、電話機１１５から局線発信のダイヤル（６０５）が発生すると、LIN１１４から経路５０１にてダイヤル情報（６０６）が、MCNT１１３、PU１１０、LAN１０４、SC１０３経由でCC１０２へ送られる。ダイヤル情報（６０６）を受信したCC１０２は、経路５０２にて発信音停止要求（６０７）を、SC１０３、LAN１０４、PU１１０経由でTSW１１２へ送信する。発信音停止要求（６０７）を受信したTSW１１２は、経路５０４のパスを切断する。これにより、送信されていた発信音が停止する。
【００４７】
続いて、CC１０２は、経路５０２にて音声パス接続要求（６０８）を、SC１０３、LAN１０４、PU１１０経由でTSW１１２へ送信する。音声パス接続要求（６０８）を受信したTSW１１２は、LIN１１４、MCNT１１３、TSW１１２、MCNT１１３、COT１１６間の経路５０５で構成される音声パスを接続する（６０９）。
【００４８】
次に、CC１０２は、経路５０３にて発信要求（６１０）を、SC１０３、LAN１０４、PU１１０、MCNT１１３経由でCOT１１６へ送信する。発信要求（６１０）を受信したCOT１１６は、局線１１７を捕捉する（６１１）。これにより、電話機１１５と局線１１７とを結ぶ音声パスが接続される（６１２）。即ち、通話元と通話先とを結ぶ音声接続パスが形成され、電話機１１５と局線１１７との間で音声通話が可能となる。
【００４９】
この音声通話は、１つの回線モジュール１０９内のTSW１１２の音声交換のみで可能となる。この音声通話に用いられる音声データは、時分割多重されたPCM音声データであって、RTPパケット化されたPCM音声データではないので、音声品質の劣化を防止し、音声品質を最適な状態に維持することができる。
【００５０】
次に、主制御モジュールと同一拠点内のIP電話機の発着信通話の動作を図７の構成図と図８の呼制御動作シーケンスに従って説明する。
【００５１】
まず、IP電話機１２６がオフフック（８０１）すると、IP電話機１２６から経路７０１にて発呼要求（８０２）がLAN１０４、SC１０３経由でCC１０２へ送信される。発呼要求（８０２）を受信したCC８０２は、経路７０１にて発信音送信要求（８０４）を、SC１０３、LAN１０４経由でIP電話機１２６に送信する。これにより、IP電話機１２６にて発信音が出力される（８０３）。
【００５２】
次に、IP電話機１２６でダイヤル（８０５）が行われると、IP電話機１２６から経路７０１にて、ダイヤル情報（８０６）が、LAN１０４、SC１０３経由でCC１０２へ送信される。ダイヤル情報（８０６）を受信したCC１０２は、経路７０２にて呼出要求（８０７）を、SC１０３、LAN１０４経由でIP電話機１２６に送信する。これにより、IP電話機１２７にてベルが鳴動される（８０７）。
【００５３】
次にIP電話機１２７がオフフック（８１０）すると、IP電話機１２７から経路７０２にて、応答要求（８０９）が、LAN１０４、SC１０３経由でCC１０２へ送信される。
【００５４】
応答要求（８０９）を受信したCC１０２は、経路７０１にて、音声パス接続要求（８１１）を、SC１０３、LAN１０４経由でIP電話機１２６へ送信する。またCC１０２は、経路７０２にて、音声パス接続要求（８１２）を、SC１０３、LAN１０４経由でIP電話機１２７へ送信する。これにより、IP電話機１２６とIP電話機１２７との間に、経路７０３による音声パスが接続され（８１３）、IP電話機１２６とIP電話機１２７との間の音声通話が可能となる。
【００５５】
この音声通話は、IP電話機間のみで接続される通話である。この通話に用いられる音声データは、RTPパケット化されたPCM音声データであるので、音声品質が劣化することがある。
【００５６】
次に、同一拠点内の異なる回線モジュール間のアナログ電話機のダイヤルパルス発着信通話の動作を、図９の構成図と図１０の呼制御動作シーケンスに従って説明する。
【００５７】
まず、電話機１１５がオフフック（１００１）すると、LIN１１５から、経路９０１にて、発呼要求（１００２）が、MCNT１１３、PU１１０、LAN１０４、SC１０３経由でCC１０２へ送信される。発呼要求（１００２）を受信したCC１０２は、経路９０２にて、発信音送出要求（１００３）を、SC１０３、LAN１０４、PU１１０経由でTSW１１２へ送信する。発信音送出要求（１００３）を受信したTSW１１２は、経路９０６のパスを接続する。これにより、TG１１１から、TSW１１２、MCNT１１３、LIN114経由で電話機１１５へ発信音が送出される（１００４）。
【００５８】
次に電話機１１５でダイヤル（１００５）が行われると、LIN１１４から、経路９０１にて、ダイヤル情報（１００６）が、MCNT１１３、PU１１０、LAN１０４、SC１０３経由でCC１０２へ送信される。ダイヤル情報（１００６）を受信したCC１０２は、経路９０２にて、発信音停止要求（１００７）を、SC１０３、LAN１０４、PU１１０経由でTSW１１２へ送信する。発信音停止要求（１００７）を受信したTSW１１２は、経路９０６のパスを切断する。これにより、送信されていた発信音が停止する。
【００５９】
続いて、CC１０２は、経路９０３にて、呼出要求（１００８）をSC１０３、LAN１０４、PU１１９、MCNT１２２、LIN１２４経由で電話機１２５へ送信する。これにより、電話機１２５にてベルが鳴動される（１００９）。
【００６０】
続いて、CC１００は、経路９０２にて、呼出音送出要求（１０１０）を、SC１０３、LAN１０４、PU１１０経由でTSW１１２へ送信する。呼出音送出要求（１０１０）を受信したTSW１１２は、経路９０６のパスを接続する。これにより、TG１１１からは、TSW１１２、MCNT１１３、LIN１１４経由で電話機１１５へ呼出音が送出される（１０１１）。
【００６１】
次に、電話機１２５がオフフック（１０１２）されると、LIN１２４から、経路９０３にて、応答要求（１０１３）が、MCNT１２２、PU１１９、LAN１０４、SC１０３経由でCC１０２へ送信される。
【００６２】
応答要求（１０１３）を受信したCC１０２は、経路９０２にて、呼出音停止要求（１０１４）を、SC１０３、LAN１０４、PU１１０経由でTSW１１２へ送信する。呼出音送出要求（１０１０）を受信したTSW１１２は、経路９０６のパスを切断する。これにより、送信されていた呼出音が停止する。
【００６３】
続いて、CC１０２は、経路９０５にて、音声パス接続要求（１０１５）を、SC１０３、LAN１０４、TSWSC１０７経由でTSW１０８へ送信するとともに、経路９０２にて、音声パス接続要求（１１６）を、SC１０３、LAN１０４、PU１１０経由でTSW１１２へ送信する。さらに、CC１０２は、経路９０４にて、音声パス接続要求（１０１７）を、SC１０３、LAN１０４、PU１１９経由でTSW１２１へ送信する。各音声パス接続要求を受信したTSW１０８、１１２、１２１は、タイムスイッチ全体で経路９０７の音声パスを接続する（１０１８）。これにより、電話機１１５と電話機１２５との間で音声通話が可能となる。
【００６４】
この音声通話に用いられる音声データは、異なる回線モジュール間をスイッチモジュール１０６内のTSW１０８で音声交換される音声データであって、時分割多重されたPCM音声データである。このため、この音声通話では、音声品質を最適な状態に維持することができる。
【００６５】
次に、同一拠点内の異なる回線モジュール間のアナログ電話機からPBダイヤルにて、IP電話機に通話する際の発着信通話の動作を、図１１の構成図と図１２および図１３の呼制御動作シーケンスに従って説明する。
【００６６】
まず、電話機１１５がオフフック（１２０１）されると、LIN１１４から、経路１１０１にて、発呼要求（１２０２）が、MCNT１１３、PU１１０、LAN１０４、SC１０３経由でCC１０２へ送信される。発呼要求を受信したCC１０２は、経路１１０３にて、SC１０３、LAN１０４、PU１１９、MCNT１２２経由でPBR１２３を捕捉する（１２０３）。
【００６７】
続いて、CC１０２は、PBR１２３を捕捉したことを条件に、経路１１０５にて、プッシュボタン信号用音声パス接続要求（１２０４）を、SC１０３、LAN１０４、TSWSC１０７経由でTSW１０８へ送信するとともに、経路１１０２にて、プッシュボタン信号用音声パス接続要求（１２０５）を、SC１０３、LAN１０４、PU１１０経由でTSW１１２へ送信する。さらに、CC１０２は、経路１１０４にて、プッシュボタン信号用音声パス接続要求（１２０６）を、SC１０３、LAN１０４、PU１１９経由でTSW１２１へ送信する。
【００６８】
各プッシュボタン信号用音声パス接続要求を受信したTSW１０８、１１２、１２１は、タイムスイッチ全体で経路１１０８のPB信号送出音声パスを接続する（１２０９）。これにより、電話機１１５からPBR１２３へのPB信号送出が可能となる。
【００６９】
次に、CC１０２は、経路１１０３にて、PB受信要求（１２０７）を、SC１０３、LAN１０４、PU１１９、MCNT１２２経由でPBR１２３へ送出する。
【００７０】
続いて、CC１０２は、経路１１０２にて、発信音送出要求（１２０８）を、SC１０３、LAN１０４、PU１１０経由でTSW１１２へ送信する。発信音送出要求を受信したTSW１１２は、経路１１０７のパスを接続する。これにより、TG１１１から、TSW１１２、MCNT１１３、LIN１１４経由で電話機１１５に発信音が送出される（１２０７）。
【００７１】
次に、電話機１１５でPBダイヤル（１２０８）が行われると、電話機１１５から、経路１１０８にて、PBR１２３へ時分割多重されたPCM音声データによるPB信号が送信される（１２０９）。PB信号を受信したPBR１２３は、受信したPB信号をダイヤル情報に変換し、変換したダイヤル情報を経路１００３にて、MCNT１２２、PU１１９、LAN１０４、SC１０３経由でCC１０２へ送信する。ダイヤル情報を受信したCC１０２は、経路１１０２にて、発信音停止要求（１２１１）を、SC１０３、LAN１０４、PU１１０経由でTCW１１２へ送信する。発信音停止要求を受信したTSW１１２は、経路１１０７のパスを切断する。これにより、送信されていた発信音が停止する。
【００７２】
続いて、CC１０２は、経路１１０３にて、SC１０３、LAN１０４、PU１１９、MCNT１２２経由でPBR１２３を解放する（１２１２）。
【００７３】
続いて、CC１０２は、経路１１０５にて、音声パス切断要求（１３０１）を、SC１０３、LAN１０４、TSWSC１０７経由でTSW１０８へ送信するとともに、経路１１０２にて、音声パス切断要求（１３０２）を、SC１０３、LAN１０４、PU１１０経由でTSW１１２へ送信する。
【００７４】
また、CC１０２は、経路１１０４にて、音声パス切断要求（１３０３）を、SC１０３、LAN１０４、PU１１９経由でTSW１２１へ送信する。各音声パス切断要求を受信したTSW１０８、１１２、１２１は、タイムスイッチ全体で経路１１０８のPB信号送信音声パス１２０９を切断する。
【００７５】
続いて、CC１０２は、経路１１０６にて、呼出要求１３０４を、SC１０３、LAN１０４経由でIP電話機１２６へ送信する。これにより、IP電話機１２６にてベルが鳴動される（１３０５）。
【００７６】
次に、IP電話機１２６がオフフック（１３０８）されると、IP電話機１２６から、経路１１０６にて、応答要求（１３０９）が、LAN１０４、SC１０３経由でCC１０２へ送信される。
【００７７】
応答要求を受信したCC１０２は、経路１１０２にて、音声パス接続要求（１３１０）を、SC１０３、LAN１０４、PU１１０経由でTSW１１２へ送信するとともに、経路１１０６にて、音声パス接続要求（１３１１）をIP電話機１２６へ送信する。
【００７８】
音声パス接続要求を受信したTSW１２７は、PU１１０とIP電話機１２６とを結ぶ経路１１０９の音声パスを接続する（１３１２）。これにより、電話機１１５とIP電話機１２６との間で通話が可能となる。この通話における音声データは、アナログ電話機からPU１１０を境に、PU１１０とIP電話機１２６との間には、RTPパケット化されたPCM音声データによる音声データが用いられる。このため、この通話では、音声品質の劣化が生じることがある。
【００７９】
一方、PB受信においては、異なる回線モジュール間を、スイッチモジュール１０６内のTSW１０８で音声交換される音声データであって、時分割多重されたPCM音声データによってPB信号が送信されるため、RTPパケット化されたPCM音声データに比べると、パケットロスによる誤ダイヤルの心配がなく、またPB受信機能を１つの回線モジュールで集約できるため、回線の収容効率を向上させるメリットがある。
【００８０】
本実施例によれば、音声品質を基準に、通話元電話機と通話先電話機とを結ぶ音声パスを形成することができる。この際、電話機１１５を通話元電話機とし、局線１１７に接続される電話機を通話先電話機とした場合、回線モジュール１０９内で音声交換を行うことで、最適な音声交換を行うための通話経路を選択することでき、通話元電話機と通話先電話機との間の通話時に音声品質を高品質に維持することができる。
【００８１】
また、電話機１１５を通話元電話機とし、電話機１２５を通話先電話機とした場合、回線モジュール１０９、１１８とスイッチモジュール１０６で音声交換を行うことで、最適な音声交換を行うための通話経路を選択することでき、通話元電話機と通話先電話機との間の通話時に、音声品質を高品質に維持することができる。
【００８２】
また、回線モジュール１０９、１１８の数をシステムの規模の拡大・縮小に合わせて調整することで、最適な通話音声交換システムを構築することができる。
【００８３】
（第２実施例）
本実施例は、IP網を間にして、センター拠点とリモート拠点の２つの拠点に、音声通話交換システムが分割して配置されている。この際、主制御モジュールは、センター拠点にのみ存在し、主制御モジュールは、センター拠点とリモート拠点を含めた全体制御を実施する。
【００８４】
センター拠点には、図１４に示すように、主制御モジュール１０１の他に、LAN１０４、スイッチモジュール１０６、回線モジュール１０９、１１８、IP電話機１２６、１２７が配置される。リモート拠点には、図１５に示すように、IP網１０５とLAN１０４が配置されると共に、スイッチモジュール１０６と同一構成のスイッチモジュール１５０１が配置される。さらに、リモート拠点には、回線モジュール１０９と同一構成の回線モジュール１５０４と、回線モジュール１１８と同一構成の回線モジュール１５１３が配置され、IP電話機１２６、１２７と同一構成のIP電話機１５２１、１５２２が配置される。
【００８５】
この際、スイッチモジュール１５０１は、TSWSC１５０２と、TSW１５０３から構成される。回線モジュール１５０４は、PU１５０５と、TG１５０６と、TSW１５０７と、MCNT１５０８と、LIN１５０９と、COT１５１１から構成され、LIN１５０９には、複数の電話機１５１０が接続され、COT１５１１には、複数の局線１５１２が接続される。
【００８６】
回線モジュール１５１３は、PU１５１４と、TG１５１５と、TSW１５１６と、MCNT１５１７と、PBR１５１８と、LIN１５１９から構成され、LIN１５１９には、複数の電話機１５２０が接続される。
【００８７】
次に、異なる拠点の異なる回線モジュール間のアナログ電話機のダイヤルパルス発着信通話の動作を、図１４および図１５の構成図と、図１６の呼制御動作シーケンスに従って説明する。
【００８８】
まず、リモート拠点の電話機１５１０が、オフフック（１６０１）すると、LIN１５０９から、経路１４０１にて、発呼要求（１６０２）が、MCNT１５０８、PU１５０５、LAN１０４、IP網１５０５からセンター拠点に送信される。この発呼要求は、センター拠点のLAN１０４、SC１０４経由でCC１０２へ転送される。
【００８９】
発呼要求を受信したCC１０２は、経路１４０２にて、発信音送出要求（１６０３）を、SC１０３、LAN１０４、IP網１０５を介してリモート拠点へ送信する。発信音送出要求は、リモート拠点のLAN１０４、PU１５０５経由でTSW１５０７へ転送される。発信音送出要求を受信したTSW１５０７は、経路１５２３のパスを接続する。これにより、TG１５０６から、TSW１５０７、MCNT１５０８、LIN１５０９経由で電話機１５１０へ発信音が送出される（１６０４）。
【００９０】
次に、リモート拠点の電話機１５１０がダイヤル（１６０５）されると、LIN１５０９から、経路１４０１にて、ダイヤル情報（１６０６）が、MCNT１５０８、PU１５０５、LAN１０４、IP網１５０５からセンター拠点に送信される。このダイヤル情報は、センター拠点のLAN１０４、SC１０３経由でCC１０２へ送信される。ダイヤル情報を受信したCC１０２は、経路１４０２にて、発信音停止要求（１６０７）を、SC１０３、LAN１０４、IP網１０４を介してリモート拠点へ送信する。発信音停止要求は、リモート拠点のLAN１０４、PU１５０５経由でTSW１５０７へ送信される。発信音停止要求を受信したTSW１５０７は、経路１５２３のパスを切断する。これにより、送信されていた発信音が停止する。
【００９１】
続いて、CC１０２は、経路１４０３にて、呼出要求（１６０８）を、SC１０３、LAN１０４、IP網１０５を介してリモート拠点へ送信する。この呼出要求は、リモート拠点のLAN１０４、PU１５１４、MCNT１５１７、LIN１５１９経由で電話機１５２０へ送信される。これにより、電話機１５２０にて、ベルが鳴動される（１６０９）。
【００９２】
続いて、CC１０２は、経路１４０２にて、呼出音送信要求（１６１０）を、SC１０３、LAN１０４、IP網１０５からリモート拠点へ送信する。この呼出音送信要求は、リモート拠点のLAN１０４、PU１５０５経由でTSW１５０７へ送信される。呼出音送信要求を受信したTSW１５０７は、経路１５２３のパスを接続する。これにより、TG１５０６から、TSW１５０７、MCNT１５０８、LIN１５０９経由で電話機１５１０へ呼出音が送出される（１６１１）。
【００９３】
次に、電話機１５２０がオフフック（１６１２）されると、LIN１５１９から、経路１４０３にて、応答要求（１６１３）が、MCNT１５１７、PU１５１４、LAN１０４、IP網１０５からセンター拠点へ送信される。この応答要求は、センター拠点のLAN１０４、SC１０４経由でCC１０２へ転送される。応答要求を受信したCC１０２は、経路１４０２にて、呼出音停止要求（１６１４）を、SC１０３、LAN１０４、IP網１０５を介してリモート拠点へ送信する。この呼出音停止要求は、リモート拠点のLAN１０４、PU１５０５経由でTSW１５０７へ転送される。呼出音停止要求を受信したTSW１５０７は、経路１５２３のパスを切断する。これにより、送信されていた呼出音が停止する。
【００９４】
続いて、CC１０２は、経路１４０５にて、音声パス接続要求（１６１５）を、SC１０３、LAN１０４、IP網１０５を介してリモート拠点へ送信する。この音声パス接続要求は、リモート拠点のLAN１０４、TSWSC１５０２経由でTSW１５０３へ転送される。さらに、CC１０２は、経路１４０２にて、音声パス接続要求（１６１６）を、SC１０３、LAN１０４、IP網１０５からリモート拠点へ送信する。この音声パス接続要求は、リモート拠点のLAN１０４、PU１５０５経由でTSW１５０７へ転送される。また、CC１０２は、経路１４０４にて、音声パス接続要求（１６１７）を、SC１０３、LAN１０４、IP網１０５からリモート拠点へ送信する。この音声パス接続要求は、リモート拠点のLAN１０４、PU１５１４経由でTSW１５１６へ転送される。
【００９５】
各音声パス接続要求を受信したTSW１５０３、１５０７、１５１６は、タイムスイッチ全体で経路１５２４の音声パスを接続する（１６１８）。これにより、電話機１５１０と電話機１５２０との間で音声通話が可能となる。この通話に用いられる音声データは、スイッチモジュール１５０１内のTSW１５０３内で音声交換される音声データであって、時分割多重されたPCM音声データである。このため、この通話による音声品質は高品質に維持される。
【００９６】
また、スイッチモジュール１０６、１５０１をセンター拠点又はリモート拠点に配置することで、拠点単位で異なる回線モジュール間の通話を行う場合でも、時分割多重されたPCM音声データで通話することが可能となる。
【００９７】
次に、異なる拠点間の回線モジュール間のアナログ電話機のダイヤルパルス発着信通話の動作を、図１７および図１８の構成図と、図１９の呼制御動作シーケンスに従って説明する。
【００９８】
まず、センター拠点の電話機１１５がオフフック（１９０２）されると、LIN１１４から、経路１７０１にて、発呼要求（１９０２）が、MCNT１１３、PU１１０、LAN１０４、SC１０３経由でCC１０２へ送信される。発呼要求を受信したCC１０２は、経路１７０２にて、発信音送出要求（１９０３）を、SC１０３、LAN１０４、PU１１０経由でTSW１１２へ送信する。発信音送出要求を受信したTSW１１２は、経路１７０５のパスを接続する。これにより、TG１１１から、TSW１１２、MCNT１１３、LIN１１４経由で電話機１１５へ発信音が送出される（１９０４）。
【００９９】
次に、電話機１１５がダイヤル（１９０５）されると、LIN１１４から、経路１７０１にて、ダイヤル情報（１９０６）が、MCNT１１３、PU１１０、LAN１０４、SC１０３経由でCC１０２へ送信される。ダイヤル情報を受信したCC１０２は、経路１７０２にて、発信音停止要求（１９０７）を、SC１０３、LAN１０４、PU１１０経由でTSW１１２へ送信する。発信音停止要求を受信したTSW１１２は、経路１７０５のパスを切断する。これにより、送信されていた発信音が停止する。
【０１００】
続いて、CC１０２は、経路１７０３にて、発呼要求（１９０８）を、SC１０３、LAN１０４、IP網１０５からリモート拠点へ送信する。この発呼要求は、リモート拠点のLAN１０４、PU１５１４、MCNT１５１７、LIN１５１９経由で電話機１５２０へ転送される。これにより、リモート拠点の電話機１５２０にて、ベルが鳴動される（１９０９）。
【０１０１】
次に、CC１０２は、経路１７０２にて、呼出音送出要求（１９１０）を、SC１０３、LAN１０４、PU１１０経由でTSW１１２へ送信する。呼出音送出要求を受信したTSW１１２は、経路１７０５のパスを接続する。これにより、TG１１１から、TSW１１２、MCNT１１３、LIN１１４経由で電話機１１５へ呼出音が送出される（１９１１）。
【０１０２】
次に、電話機１５２０がオフフック（１９１２）されると、LIN１５１９から、経路１７０３にて、応答要求（１９１３）が、MCNT１５１７、PU１５１４、LAN１０４、IP網１０５からセンター拠点に送信される。この応答要求は、センター拠点のLAN１０４、SC１０３経由でCC１０２へ転送される。応答要求を受信したCC１０２は、経路１７０２にて、呼出音停止要求（１９１４）を、SC１０３、LAN１０４、PU１１０経由でTSW１１２へ送信する。呼出音停止要求を受信したTSW１１２は、経路１７０５のパスを切断する。これにより、送出されていた呼出音が停止する。
【０１０３】
続いて、CC１０２は、経路１７０２にて、音声パス接続要求（１９１５）を、SC１０３、LAN１０４、PU１１０経由でTSW１１２へ送信するとともに、経由１７０４にて、音声パス接続要求（１９１６）を、SC１０３、LAN１０４、IP網１０５からリモート拠点へ送信する。この音声パス接続要求は、リモート拠点のLAN１０４、PU１５１４経由でTSW１５１６へ転送される。
【０１０４】
音声パス接続要求を受信したTSW１１２、１５１６と、音声パス接続要求を受信したPU１１０、１５１４は、それぞれ経路１７０６の音声パスを接続する（１９１７）。これにより、電話機１１５と電話機１５２０との間で音声通話が可能となる。
【０１０５】
この音声通話に用いられる音声データは、アナログ電話機からPU１１０およびPU１５１４を境に、RTPパケット化されたPCM音声データである。このため、この音声通話での音声品質は劣化することがある。ただし、拠点が異なる回線モジュール間の通話は、スイッチモジュール１０６、１５０１を介して行われる通話であって、時分割多重されたPCM音声データではできないが、RTPパケット化されたPCM音声データで可能となる。
【０１０６】
次に、異なる拠点間の異なる回線モジュール間のアナログ電話機からPBダイヤルにて局発発信する際の動作を、図２０および図２１の構成図と、図２２及び図２３の呼制御動作シーケンスに従って説明する。
【０１０７】
まず、センター拠点における電話機１１５がオフフック（２２０１）されると、LIN１１４から、経路２００１にて、発呼要求（２２０２）が、MCNT１１３、PU１１０、LAN１０４、SC１０３経由でCC１０２へ送信される。発呼要求を受信したCC１０２は、経路２００３にて、SC１０３、LAN１０４、PU１１９、MCNT１２２経由でPBR１２３を捕捉する（２２０３）。
【０１０８】
続いて、CC１０２は、PBR１２３を捕捉したことを条件に、経路２００５にて、プッシュボタン信号用音声パス接続要求（２２０４）を、SC１０３、LAN１０４、TSWSC１０７経由でTSW１０８へ送信し、経路２０４にて、プッシュボタン信号用音声パス接続要求（２２０５）を、SC１０３、LAN１０４、PU１１９経由でTSW１２１へ送信し、さらに、経路２００２にて、プッシュボタン信号用音声パス接続要求（２２０６）を、SC１０３、LAN１０４、PU１１０経由でTSW１１２へ送信する。
【０１０９】
各プッシュボタン信号用音声パス接続要求を受信したTSW１０８、１１２、２１２は、タイムスイッチ全体で経路２００８のPB信号送出音声パスを接続する（２２１１）。これにより、電話機１１５からPBR１２３へPB信号を送出することが可能となる。
【０１１０】
次に、CC１０２は、経路２００３にて、PB受信要求（２２０７）を、SC１０３、LAN１０４、PU１１９、MCNT１２２経由でPBR１２３へ送信する。続いて、CC１０２は、経路２００２にて、発信音送出要求（２２０８）を、SC１０３、LAN１０４、PU１１０経由でTSW１１２へ送信する。発信音送出要求を受信したTSW１１２は、経路２００７のパスを接続する。これにより、TG１１１から、TSW１１２、MCNT１１３、LIN１１４経由で電話機１１５へ発信音が送出される（２２０９）。
【０１１１】
次に、電話機１１５がPBダイヤル（２２１０）されると、電話機１１５から、経路２００８にて、PBR１２３へ時分割多重されたPCM音声データにてPB信号が送出される（２２１１）。PB信号を受信したPBR１２３は、受信したPB信号をダイヤル情報に変換し、変換されたダイヤル情報を、経路２００３にて、MCNT１２２、PU１１９、LAN１０４、SC１０３経由でCC１０２へ送信する。
【０１１２】
ダイヤル情報を受信したCC１０２は、経路２００２にて、発信音停止要求（２２１３）を、SC１０３、LAN１０４、PU１１０経由でTSW１１２へ送信する。発信音停止要求を受信したTSW１１２は、経路２００７のパスを切断する。これにより、送信されていた発信音が停止する。
【０１１３】
続いて、CC１０２は、経路２００３にて、SC１０３、LAN１０４、PU１１９、MCNT１１２経由でPBR１２３を解放する（２２１４）。
【０１１４】
続いて、CC１０２は、経路２００５にて、音声パス切断要求（２２１５）を、SC１０３、LAN１０４、TSWSC１０７経由でTSW１０８へ送信するとともに、経路２００４にて、音声パス切断要求（２２１６）を、SC１０３、LAN１０４、PU１１９経由でTSW１２１へ送信し、さらに、経路２００２にて、音声パス切断要求（２２１７）を、SC１０３、LAN１０４、PU１１０経由でTSW１１２へ送信する。各音声パス切断要求を受信したTSW１０８、１２１、１１２は、経路２００８のPB信号送出音声パスの接続（２２１１）を切断する。
【０１１５】
続いて、CC１０２は、経路２００９にて、音声パス接続要求（２３０１）を、SC１０３、LAN１０４、IP網１０５からリモート拠点へ送信する。この音声パス接続要求は、リモート拠点のLAN１０４、PU１５０５を経由してTSW１５０７へ転送される。
【０１１６】
また、CC１０２は、経路２００２にて、音声パス接続要求（２３０２）を、SC１０３、LAN１０４、PU１１０を経由してTSW１１２へ送信する。音声パス接続要求を受信したTSW１１２、１５０７と、音声パス接続要求を受信したPU１１０、１５０５は、経路２０１０の音声パスを接続する（２３０３）。
【０１１７】
次に、CC１０２は、経路２００６にて、発信要求（２３０４）を、SC１０３、LAN１０４、PU１５０５、MCNT１５０８経由でCOT１５１１１へ送信する。発信要求を受信したCOT１５１１は、局線１５１２を捕捉する（２３０５）。局線１５１２が捕捉されると、電話機１１５と局線１５１２との間に音声パスが接続される（２３０６）。この結果、電話機１１５と局線１５１２との間で音声通話が可能となる。
【０１１８】
この音声通話に用いられる音声データは、アナログ電話機からPU１１０を境に、また、局線１５１２からPU１５０５を境に、RTPパケット化されたPCM音声データである。このため、この通話での音声品質は劣化することがある。
【０１１９】
また、この接続では、IP網１０５経由で他の拠点に存在する局線を捕捉することが可能であり、回線コストの低減を図ることができるとともに、IP交換端末のメリットを生かすことができる。
【０１２０】
また、PBダイヤルに関しては、発信する電話機と同一拠点内のPB受信機能を用いているため、スイッチモジュール１０６内のTSW１０８の音声交換に用いられる音声データであって、時分割多重されたPCM音声データによってPB信号を送っているため、RTPパケット化されたPCM音声データに比べるとパケットロスによる誤ダイヤルの心配がない。
【０１２１】
本実施例によれば、音声品質を基準に、通話元電話機と通話先電話機とを結ぶ音声パスを形成することができる。この際、電話機１５１０を通話元電話機とし、電話機１５２０を通話先電話機とした場合、回線モジュール１５０４、１５１３とスイッチモジュール１５０１で音声交換を行うことで、最適な音声交換を行うための通話経路を選択することでき、通話元電話機と通話先電話機との間の通話時に、音声品質を高品質に維持することができる。
【０１２２】
また、回線モジュール１０９、１１８、１５０４、１５１３の数をシステムの規模の拡大・縮小に合わせて調整することで、センター拠点とリモート拠点に、音声通話交換システムを分散させて配置する場合でも、最適な通話音声交換システムを構築することができる。
【０１２３】
（第３実施例）
図２４及び図２５は、第３実施例における通話音声交換システムを二重化した構成図である。図２４及び図２５に示すように、通話音声交換システムは、主制御モジュール１０１と、LAN１０４と、IP網１０５と、スイッチモジュール１０６と、＃１の回線モジュール１０９と、＃２の回線モジュール１１８と、IP端末を構成する複数のIP電話機１２６、１２７などから構成される。主制御モジュール１０１と、スイッチモジュール１０６と、回線モジュール１０９、１１８と、IP網１０５、及びIP電話機１２６、１２７は、それぞれLAN１０４に接続される。
【０１２４】
スイッチモジュール１０６は、０系のTSWSC１０７とTSW１０８、１系のTSWSC２４０１とTSW２４０２から構成され、１系のTSWSC２４０１とTSW２４０２は、０系のTSWSC１０７とTSW１０８と同一の機能を持ち、TSWSC１０７とTSWSC２４０１の間で系間交絡され、音声パスデータのコピーを行う。ここで、音声パスデータとは、PCM音声データを音声交換する際の伝送路（チャネル）の接続情報である。TSWSC１０７とTSWSC２４０１は、LAN１０４上のパケット化された呼制御情報とコピーされた音声パスデータをTSW１０８及びTSW２４０２で送受信可能な信号に変換する。TSW１０８とTSW２４０２は、回線モジュール１０９及び回線モジュール１１８に接続され、TSWSC１０７とTSWSC２４０１からの信号を基に、時分割多重されたPCM音声データの音声交換を行う。
【０１２５】
回線モジュール１０９は、０系のPU１１０とTG１１１とTSW１１２とMCNT１１３、１系のPU２４０３とTG２４０４とTSW２４０５とMCNT２４０６、LIN１１４、COT１１６から構成され、１系のPU２４０３とTG２４０４とTSW２４０５とMCNT２４０６は、０系のPU１１０とTG１１１とTSW１１２とMCNT１１３と同一の機能を持ち、PU１１０とPU２４０３の間で系間交絡され、音声パスデータのコピーを行う。PU１１０とPU２４０３は、LAN１０４上のパケット化された呼制御情報及びPCM音声データを回線モジュール１０９内で送受信可能な信号に変換するとともに、コピーされた音声パスデータをTSW１２２及びTSW２４０５で送受信可能な信号に変換する。
【０１２６】
TSW１１２は、TG１１１とMCNT１１３及び、スイッチモジュール１０６内のTSW１０８とTSW２４０２に接続され、時分割多重されたPCM音声データの音声交換を行う。
【０１２７】
TSW２４０５は、TG２４０４とMCNT２４０６及び、スイッチモジュール１０６内のTSW１０８とTSW２４０２に接続され、時分割多重されたPCM音声データの音声交換を行う。
【０１２８】
MCNT１１３とMCNT２４０６は、それぞれLIN１１４とCOT１１６に接続され、呼制御情報または時分割多重されたPCM音声データの授受を行う。
【０１２９】
回線モジュール１１８は、COT１１６の代わりにPBR１２３を配置したものであり、他の構成は回線モジュール１０９と同様である。
【０１３０】
図２６に、二重化した際の音声データ伝送路の切り替えを説明するための構成図を示す。本通話音声交換システムにおける音声データ伝送路は、スイッチモジュール１０６や回線モジュール１０９及び１１８、LIN１１４やCOT１１６などの回線インタフェースで構成され、通話元電話機と通話先電話機とを結ぶ音声パスを形成する。時分割多重されたPCM音声データの伝送はTSW１１２、１０８、１２１、２４０５、２４０２、２５０４で行われ、RTPパケット化されたPCM音声データはPU１１０、１１９、２４０３、２５０２を介して、LAN１０４の経路で伝送される。
【０１３１】
回線インタフェース１０９は、LIN１１４やCOT１１６に接続される回線インタフェース２６０１を有し、回線インタフェース２６０１は、セレクタ２６０２から構成される。セレクタ２６０２は、経路２６３１を介して０系TSW１１２に接続され、経路２６３２を介して１系TSW２４０５に接続される。回線インタフェース１１８は、LIN１２４やPBR１２３に接続される回線インタフェース２６０５を有し、回線インタフェース２６０５は、セレクタ２６０６から構成される。セレクタ２６０６は、経路２６４１を介して０系TSW１２１に接続され、経路２６４２を介して１系TSW２５０４に接続される。
【０１３２】
０系TSW１１２は、セレクタ２６０３に接続される。セレクタ２６０３は、経路２６３３を介してスイッチモジュール１０６内のセレクタ２６０９に接続されると共に、経路２６３４を介してスイッチモジュール１０６内のセレクタ２６１１に接続される。１系TSW２４０５は、セレクタ２６０４に接続される。セレクタ２６０４は、経路２６３５を介してスイッチモジュール１０６内のセレクタ２６０９に接続されると共に、経路２６３６を介してスイッチモジュール１０６内のセレクタ２６１１に接続される。セレクタ２６０９は、０系TSW１０８に接続され、セレクタ２６１１は、１系TSW２４０２に接続される。
【０１３３】
０系TSW１２１は、セレクタ２６０７に接続される。セレクタ２６０７は、経路２６３７を介してスイッチモジュール１０６内のセレクタ２６１０に接続されると共に、経路２６３９を介してスイッチモジュール１０６内のセレクタ２６１２に接続される。１系TSW２５０４は、セレクタ２６０８に接続される。セレクタ２６０８は、経路２６３８を介してスイッチモジュール１０６内のセレクタ２６１０に接続されると共に、経路２６４０を介してスイッチモジュール１０６内のセレクタ２６１２に接続される。セレクタ２６１０は、０系TSW１０８に接続され、セレクタ２６１２は、１系TSW２４０２に接続される。
【０１３４】
経路２６３１〜２６４２は、時分割多重されたPCM音声データの伝送路であり、これらの経路は、セレクタ２６０２、２６０３、２６０４、２６０７〜２６１２によって切り替えられる。セレクタ２６０２は、TSW１１２及び２４０５からの情報（通知）により経路２６３１、２６３２を切り替える。この際、０系TSW１１２は、現用系（以下、ACTと称することがある。）の経路として、経路２６３１、２６３３、２６３６を使用する場合、セレクタ２６０２に、経路２６３１を選択するための情報２６５１を出力し、セレクタ２６０９、２６１１に、経路２６３３、２６３５を選択するための情報２６５１を出力する。１系TSW２４０５は、予備系或いは待機系（以下、SBYと称することがある。）の経路として、経路２６３２、２６３４、２６３５を使用する場合、セレクタ２６０２に、経路２６３２を選択するための情報２６５１を出力し、セレクタ２６０９、２６１１に、経路２６３３、２６３５を選択するための情報２６５１を出力する。
【０１３５】
また、セレクタ２６０６は、TSW１２１及び２５０４からの情報（通知）により経路２６４１、２６４２を切り替える。この際、０系TSW１２１は、ACTとして、経路２６４１、２６３７、２６４０を使用する場合、セレクタ２６０６に、経路２６４１を選択するための情報２６５３を出力し、セレクタ２６１０、２６１２に、経路２６３７、２６４０を選択するための情報２６５３を出力する。１系TSW２５０４は、SBYとして、経路２６４２、２６３８、２６３９を使用する場合、セレクタ２６０６に、経路２６４２を選択するための情報２６５３を出力し、セレクタ２６１０、２６１２に、経路２６３８、２６３９を選択するための情報２６５３を出力する。
【０１３６】
また、セレクタ２６０３、２６０４、２６０７、２６０８は、スイッチモジュール１０６のTSW１０８及び２４０２からの情報（通知）により経路２６３３〜２６４０を切り替える。この際、０系TSW１０８は、ACTとして、経路２６３３、２６３６又は経路２６３７、２６４０を使用する場合、セレクタ２６０３、２６０４に、経路２６３３、２６３６を選択するための情報２６５２を出力し、セレクタ２６０７、２６０８に、経路２６３７、２６４０を選択するための情報２６５２を出力する。１系TSW２４０２は、SBYとして、経路２６３４、２６３５又は経路２６３８、２６３９を使用する場合、セレクタ２６０３、２６０４に、経路２６３４、２６３５を選択するための情報２６５２を出力し、セレクタ２６０７、２６０８に、経路２６３８、２６３９を選択するための情報２６５２を出力する。
【０１３７】
回線モジュール１０９における０系PU１１０は、TSW１１２に接続されると共に、RTPパケットフィルタ２６２１を介してLAN１０４と接続され、時分割多重されたPCM音声データとRTPパケット化されたPCM音声データとの変換を行う。１系PU２４０３は、TSW２４０５に接続されると共に、RTPパケットフィルタ２６２２を介してLAN１０４と接続され、時分割多重されたPCM音声データとRTPパケット化されたPCM音声データとの変換を行う。回線モジュール１１８における０系PU１１９は、TSW１２１に接続されると共に、RTPパケットフィルタ２６２３を介してLAN１０４と接続され、時分割多重されたPCM音声データとRTPパケット化されたPCM音声データとの変換を行う。１系PU２５０２は、TSW２００４に接続されると共に、RTPパケットフィルタ２６２４を介してLAN１０４と接続され、時分割多重されたPCM音声データとRTPパケット化されたPCM音声データとの変換を行う。
【０１３８】
ここで、RTPパケットフィルタ２６２１〜２６２４は、オン時にRTPパケットの伝送を遮断し、呼制御情報などのパケットを通過させ、オフ時には、RTPパケット及び呼制御情報などのパケットを通過させるフィルタとして機能する。例えば、０系PU１１０がACTとして使用される場合、RTPパケットフィルタ２６２１は、オフ状態となって、RTPパケット及び呼制御情報などのパケットを通過させる。この場合、LAN１０４とTSW１１２との間で音声データの伝送が可能となる。一方、０系PU１１０がSBYとして使用される場合、RTPパケットフィルタ２６２８は、オン状態となって、RTPパケットの伝送を遮断し、呼制御情報などのパケットを通過させる。この場合、LAN１０４とTSW１１２との間の音声データの伝送は不可能となる。
【０１３９】
このように、０系TSW１１２、１２１、１０８、又は１系TSW２４０５、２５０２、２４０２が、セレクタ２６０２〜２６０４、２６０６〜２６１２に、ACT又はSBYの情報を通知することで、スイッチモジュール１０６や回線モジュール１０９、１１８で、経路２６３１〜２６４２の切り替えを行っても、常に、ACTの音声データ伝送路（ACTとして選択された経路を含む音声データの伝送路）を使用して、音声データを伝送することができる。
【０１４０】
図２７に、二重化した際のIPアドレスの切り替えを説明するためのシーケンスを示す。回線モジュール１０９内のPU１１０、２４０３には、０系用IPアドレスと１系用IPアドレスとACT用IPアドレスの３つが登録されている。例えば、電源ＯＮで起動（２７０１）すると、０系PU１１０は、０系用IPアドレスで立ち上がり（２７０２）、１系PU２４０３は、１系用IPアドレスで立ち上がる（２７０３）。０系PU１１０は、１系PU２４０３に対して、０系ACT通知（２７０５）を行い、IPアドレスをACT用IPアドレスへ変更（２７０４）すると、０系PU１１０が、運用系としてACT（２７０６）となり、１系PU２４０３が、待機系としてSBY（２７０７）となる。CC-SC１０１より系切替要求２７０８を１系PU２４０３が受信すると、１系PU２４０３は、０系PU１１０に対して、再起動要求２７０９を行い、IPアドレスをACT用IPアドレスへ変更（２７１１）し、ACT（２７１３）となる。一方、切替要求２７０８を受信した０系PU１１０は、再起動（２７１０）して、０系用IPアドレスで立ち上がり（２７１２）、１系PU２４０３より１系ACT通知２７１４を受信した場合、SBY（２７１５）となる。
【０１４１】
このようにACT、SBYの切り替えの際に、PU１１０とPU２４０３との間でACT用IPアドレスの切り替えを行うことで、IPアドレスで宛先を指定するRTPパケットであっても、通話を継続することができる。
【０１４２】
次に、本実施例における発着信通話の動作と通話中時の系切り替えの動作を図２８の構成図と図２９、図３０の呼制御動作シーケンスに従って説明する。
【０１４３】
ここで、回線モジュール１０９は、０系のPU１１０、TG１１１、TSW１１２、MCNT１１３がACTであり、１系のPU２４０３、TG２４０４、TSW２４０５、MCNT２４０６がSBYとする。また、スイッチモジュール１０６は、０系のTSWSC１０７、TSW１０８がACTであり、１系のTSWSC２４０１、TSW２４０２がSBYとする。
【０１４４】
まず、回線モジュール１０９に接続される電話機１１５がオフフックされ（２９０１）、電話機１１５からオフフック信号が出力されると、LIN１１４から経路２８０１にて発呼要求（２９０２）が、MCNT１１３、PU１１０、LAN１０４、SC１０３経由でCC１０２へ送られる。
【０１４５】
発呼要求（２９０２）を受信したCC１０２は、経路２８０２にて、発信音送出要求（２９０３）をSC１０３、LAN１０４、PU１１０経由でTSW１１２へ送信する。発信音送出要求（２９０３）を受信したTSW１１２は、経路２８０４のパスを接続する。これにより、TG１１１から、TSW１１２、MCNT１１３、LIN１１４経由で電話機１１５へ発信音が送出される（２９０４）。
【０１４６】
次に、電話機１１５から局線発信のダイヤル（２９０８）が発生すると、LIN１１４から、経路２８０１にてダイヤル情報（２９０９）が、MCNT１１３、PU１１０、LAN１０４、SC１０３経由でCC１０２へ送られる。
【０１４７】
ダイヤル情報（２９０９）を受信したCC１０２は、経路２８０２にて、発信音停止要求（２９１０）を、SC１０３、LAN１０４、PU１１０経由でTSW１１２へ送信する。発信音停止要求（２９１０）を受信したTSW１１２は、経路２８０４のパスを切断する。これにより、送信されていた発信音が停止する。
【０１４８】
続いて、CC１０２は、経路２８０２にて、音声パス接続要求（２９１３）を、SC１０３、LAN１０４、PU１１０経由でTSW１１２へ送信する。音声パス接続要求（２９１３）を受信したTSW１１２は、LIN１１４、MCNT１１３、TSW１１２、MCNT１１３、COT１１６間の経路２８０５で構成される音声パスを接続する（２９１４）。また、PU１１０は、経路２８０６でPU２４０３へパスデータコピー（音声データの伝送路を構成する経路等の情報を含むパスデータ）を行い（２９１５）、PU２４０３は、経路２８０７にて、パス（音声パス）接続要求（２９１６）をTSW２４０５へ送信する。これにより、LIN１１４、MCNT２４０６、TSW２４０５、MCNT２４０６、COT１１６間の経路２８０９で構成される音声パス（予備系の音声パス）が形成される（２９１７）。ここで、LIN１１４とCOT１１６では、セレクタ２６０２により、ACTのTSW１１２を選択して、パスを形成するため、電話機１１５と局線１１７への音声パスは、現用系の音声パスを形成する経路２８０５が使用される。
【０１４９】
次に、CC１０２は、経路２８０３にて、発信要求（３００１）を、SC１０３、LAN１０４、PU１１０、MCNT１１３経由でCOT１１６へ送信する。発信要求（３００１）を受信したCOT１１６は、局線１１７を捕捉する（３００２）。これにより、電話機１１５と局線１１７とを結ぶ経路２８０５の音声パス（現用系の音声パス）が接続される（３００３）。即ち、通話元と通話先とを結ぶ音声パスとして、現用系の音声パスが形成され、電話機１１５と局線１１７との間で音声通話が可能となる。
【０１５０】
ここで、例えば、PU１１０が故障し（３００５）、経路２８１０にてCC１０２からSC１０３、LAN１０４経由でPU１１０に送信されるライフチェック（３００４）に対する応答がないとする。すると、CC１０２は、０系のPU１１０が故障していると判断し、１系のPU２４０３へ対して経路２８１１で系切替要求（３００６）を送信する。系切替要求（３００６）を受信したPU２４０３は、SBYからACTへの切り替え（３００７）を実施し、経路２８０９にて１系のTSW２４０５がACTとなった情報（３００８）をLIN１１４とCOT１１６へ通知する。１系ACT情報（３００８）を受信したLIN１１４とCOT１１６は、セレクタ２６０２を切り替える。これにより、電話機１１５と局線１１７とを結ぶ、経路２８０９の音声パス（予備系の音声パス）が接続される（３００９）。即ち、通話元と通話先とを結ぶ音声パスとして、現用系の音声パスの代わりに、予備系の音声パスが形成され、電話機１１５と局線１１７との間で音声通話の継続が可能となる。
【０１５１】
この音声通話は、TSW１１２、２４０５を使用して、時分割多重されたPCM音声データの伝送が行われる。回線モジュール内を二重化しており、ACTでの音声パスデータをSBYへコピーし、音声パスを形成しているため、ACTで故障が発生しても、ACTからSBYへの切り替えを行い、時分割多重されたPCM音声データの伝送を継続することができる。即ち、故障が発生しても音声品質の劣化を防止し、音声品質を最適な状態に維持することができる。
【０１５２】
次に、同一拠点内の異なる回線モジュール間のアナログ電話機からPBダイヤルにて、IP電話機に通話する際の発着信通話の動作と通話中時の系切り替えの動作を、図３１および図３２の構成図と図３３および図３４の呼制御動作シーケンスに従って説明する。
【０１５３】
ここで、回線モジュール１０９は、０系のPU１１０、TG１１１、TSW１１２、MCNT１１３がACTであり、１系のPU２４０３、TG２４０４、TSW２４０５、MCNT２４０６がSBYとする。また、回線モジュール１１８は、０系のPU１１９、TG１２０、TSW１２１、MCNT１２２がACTであり、１系のPU２５０２、TG２５０３、TSW２５０４、MCNT２５０５がSBYとする。また、スイッチモジュール１０６は、０系のTSWSC１０７、TSW１０８がACTであり、１系のTSWSC２４０１、TSW２４０２がSBYとする。
【０１５４】
まず、電話機１１５がオフフック（３３０１）されると、LIN１１４から、経路３１０４にて、発呼要求（３３０２）が、MCNT１１３、PU１１０、LAN１０４、SC１０３経由でCC１０２へ送信される。発呼要求を受信したCC１０２は、経路３１０７にて、SC１０３、LAN１０４、PU１１９、MCNT１２２経由でPBR１２３を捕捉する（３３０３）。
【０１５５】
続いて、CC１０２は、PBR１２３を捕捉したことを条件に、経路３１０１にて、プッシュボタン信号用音声パス接続要求（３３０４）を、SC１０３、LAN１０４、TSWSC１０７経由でTSW１０８へ送信するとともに、経路３１０３にて、プッシュボタン信号用音声パス接続要求（３３０５）を、SC１０３、LAN１０４、PU１１０経由でTSW１１２へ送信する。さらに、CC１０２は、経路３１０６にて、プッシュボタン信号用音声パス接続要求（３３０６）を、SC１０３、LAN１０４、PU１１９経由でTSW１２１へ送信する。
【０１５６】
各プッシュボタン信号用音声パス接続要求を受信したTSW１０８、１１２、１２１は、タイムスイッチ全体で経路３１０９のPB信号送出音声パスを接続する（３３１１）。これにより、電話機１１５からPBR１２３へのPB信号送出が可能となる。
【０１５７】
次に、CC１０２は、経路３１０７にて、PB受信要求（３３０７）を、SC１０３、LAN１０４、PU１１９、MCNT１２２経由でPBR１２３へ送出する。
【０１５８】
続いて、CC１０２は、経路３１０３にて、発信音送出要求（３３０８）を、SC１０３、LAN１０４、PU１１０経由でTSW１１２へ送信する。発信音送出要求を受信したTSW１１２は、経路３１１０のパスを接続する。これにより、TG１１１から、TSW１１２、MCNT１１３、LIN１１４経由で電話機１１５に発信音が送出される（３３０９）。
【０１５９】
次に、電話機１１５でPBダイヤル（３３１０）が行われると、電話機１１５から、経路３１０９にて、PBR１２３へ時分割多重されたPCM音声データによるPB信号が送信される（３３１１）。PB信号を受信したPBR１２３は、受信したPB信号をダイヤル情報に変換し、変換したダイヤル情報を経路３１０７にて、MCNT１２２、PU１１９、LAN１０４、SC１０３経由でCC１０２へ送信する。
【０１６０】
ダイヤル情報を受信したCC１０２は、経路３１０３にて、発信音停止要求（３３１３）を、SC１０３、LAN１０４、PU１１０経由でTSW１１２へ送信する。発信音停止要求を受信したTSW１１２は、経路３１１０のパスを切断する。これにより、送信されていた発信音が停止する。
【０１６１】
続いて、CC１０２は、経路３１０７にて、SC１０３、LAN１０４、PU１１９、MCNT１２２経由でPBR１２３を解放する（３３１４）。
【０１６２】
続いて、CC１０２は、経路３１０１にて、音声パス切断要求（３３１５）を、SC１０３、LAN１０４、TSWSC１０７経由でTSW１０８へ送信するとともに、経路３１０３にて、音声パス切断要求（３３１６）を、SC１０３、LAN１０４、PU１１０経由でTSW１１２へ送信する。また、CC１０２は、経路３１０６にて、音声パス切断要求（３３１７）を、SC１０３、LAN１０４、PU１１９経由でTSW１２１へ送信する。各音声パス切断要求を受信したTSW１０８、１１２、１２１は、タイムスイッチ全体で経路３１０９のPB信号送信音声パスを切断する。
【０１６３】
続いて、CC１０２は、経路３１０８にて、呼出要求３４０１を、SC１０３、LAN１０４経由でIP電話機１２６へ送信し、IP電話機１２６のベルを鳴動させる（３４０２）。また、CC１０２は、経路３１０３にて呼出音送出要求３４０３を、SC１０３、LAN１０４、PU１１０経由でTSW１１２へ送信する。呼出音送出要求３４０３を受信したTSW１１２は、経路３１１０のパスを接続する。これにより、TG１１１から、TSW１１２、MCNT１１３、LIN１１４経由で電話機１１５に呼出音が送出される（３４０４）。
【０１６４】
次に、IP電話機１２６がオフフック（３１０８）されると、IP電話機１２６から、経路３１０８にて、応答要求（３４０５）が、LAN１０４、SC１０３経由でCC１０２へ送信される。
【０１６５】
応答要求を受信したCC１０２は、経路３１０３にて、音声パス接続要求（３４０５）を、SC１０３、LAN１０４、PU１１０経由でTSW１１２へ送信するとともに、経路３１０８にて、音声パス接続要求（３４０７）をIP電話機１２６へ送信する。
【０１６６】
音声パス接続要求を受信したTSW１１２は、PU１１０とIP電話機１２６とを結ぶ経路３１１１の音声パス（現用系の音声パス）を接続する（３４０８）。これにより、電話機１１５とIP電話機１２６との間で通話が可能となる。また、PU１１０は経路３１１２でPU２４０３へパスデータコピー（３４０９）を行い、PU２４０３は経路３１１３にて、パス接続要求（３４１０）をTSW２４０５へ送信する。これにより、LIN１１４、MCNT２４０６、TSW２４０５、PU２４０３間の経路３１１４で構成される音声パス（予備系の音声パス）が形成される（３４１１）。ここで、LIN１１４では、セレクタ２６０２によりACTのTSW１１２を選択して、パスを形成し、PU２４０３では、RTPパケットフィルタ２６２２により、RTPパケットが遮断させるため、電話機１１５とIP電話機１２６への音声パスは、経路３１１１が使用される。
【０１６７】
次に、例えばPU１１０が故障し（３５０２）、経路３１０２にてCC１０２からSC１０３、LAN１０４経由でPU１１０に送信されるライフチェック（３５０１）に対する応答がないとする。すると、CC１０２は、０系のPU１１０が故障していると判断し、１系のPU２４０３へ対して経路３１０５で系切替要求（３５０３）を送信する。系切替要求（３５０３）を受信したPU２４０３は、SBYからACTへの切り替え（３５０４）を実施し、経路３１１４にて１系のTSW２４０５がACTとなった情報（３５０５）をLIN１１４へ通知する。１系ACT情報（３１１４）を受信したLIN１１４は、セレクタ２６０２を切り替える。PU２４０３では、経路３１１０でPU１１０へ再起動要求３５０６を送信し、PU１１０、TG１１１、TSW１１２、MCNT１１３の再起動を行う（３５０７）。続いて、PU２４０３は、1系用IPアドレスからACT用IPアドレスへの切り替え（３５０８）を行い、RTPパケットフィルタ２６２２の動作をオフにすることで、電話機１１５とIP電話機１２６とを結ぶ、経路３１１５の音声パスが接続される（３５１０）。即ち、通話元と通話先とを結ぶ音声接続パスが形成され、電話機１１５とIP電話機１２６との間で音声通話の継続が可能となる。
【０１６８】
この音声通話は、アナログ電話機からPU１１０を境に、PU１１０とIP電話機１２６との間でRTPパケット化されたPCM音声データの伝送が行われる。回線モジュール内を二重化しており、ACTでの音声パスデータをACTからSBYへコピーし、音声接続パスを形成しているため、ACTで故障が発生しても、ACTからSBYへの切り替えを行い、音声データの伝送を継続することができる。しかし、SBYからACTへの切り替えの際、RTPパケット化されたPCM音声データの伝送を継続させるために、IPアドレスの切り替えを行った後、通話元と通話先とを結ぶ音声接続パスが形成されるので、RTPパケットは一定の間隔で送信されず、音声品質の劣化が生じる。
【０１６９】
次に、同一拠点内の異なる回線モジュール間のアナログ電話機のダイヤルパルス発着信通話の動作と通話中時の系切り替えの動作を、図３６および図３７の構成図と図３８および図３９の呼制御動作シーケンスに従って説明する。
【０１７０】
ここで、回線モジュール１０９は、０系のPU１１０、TG１１１、TSW１１２、MCNT１１３がACTであり、１系のPU２４０３、TG２４０４、TSW２４０５、MCNT２４０６がSBYとする。また、回線モジュール１１８は、０系のPU１１９、TG１２０、TSW１２１、MCNT１２２がACTであり、１系のPU２５０２、TG２５０３、TSW２５０４、MCNT２５０５がSBYとする。また、スイッチモジュール１０６は、０系のTSWSC１０７、TSW１０８がACTであり、１系のTSWSC２４０１、TSW２４０２がSBYとする。
【０１７１】
まず、電話機１１５がオフフック（３８０１）すると、LIN１１５から、経路３６０５にて、発呼要求（３８０２）が、MCNT１１３、PU１１０、LAN１０４、SC１０３経由でCC１０２へ送信される。発呼要求（３８０２）を受信したCC１０２は、経路３６０４にて、発信音送出要求（３８０３）を、SC１０３、LAN１０４、PU１１０経由でTSW１１２へ送信する。発信音送出要求（３８０３）を受信したTSW１１２は、経路３５１４のパスを接続する。これにより、TG１１１から、TSW１１２、MCNT１１３、LIN114経由で電話機１１５へ発信音が送出される（３８０４）。
【０１７２】
次に、電話機１１５でダイヤル（３８０５）が行われると、LIN１１４から、経路３６０５にて、ダイヤル情報（３８０６）が、MCNT１１３、PU１１０、LAN１０４、SC１０３経由でCC１０２へ送信される。
【０１７３】
ダイヤル情報（３８０６）を受信したCC１０２は、経路３６０４にて、発信音停止要求（３８０７）を、SC１０３、LAN１０４、PU１１０経由でTSW１１２へ送信する。発信音停止要求（３８０７）を受信したTSW１１２は、経路３６１４のパスを切断する。これにより、送信されていた発信音が停止する。
【０１７４】
続いて、CC１０２は、経路３６０７にて、呼出要求（３８０８）をSC１０３、LAN１０４、PU１１９、MCNT１２２、LIN１２４経由で電話機１２５へ送信する。これにより、電話機１２５にてベルが鳴動される（３８０９）。
【０１７５】
続いて、CC１００は、経路３６０４にて、呼出音送出要求（３８１０）を、SC１０３、LAN１０４、PU１１０経由でTSW１１２へ送信する。呼出音送出要求（３８１０）を受信したTSW１１２は、経路３６１４のパスを接続する。これにより、TG１１１からは、TSW１１２、MCNT１１３、LIN１１４経由で電話機１１５へ呼出音が送出される（３８１１）。
【０１７６】
次に、電話機１２５がオフフック（３８１２）されると、LIN１２４から、経路３６０７にて、応答要求（３８１３）が、MCNT１２２、PU１１９、LAN１０４、SC１０３経由でCC１０２へ送信される。
【０１７７】
応答要求（３８１３）を受信したCC１０２は、経路３６０４にて、呼出音停止要求（３８１４）を、SC１０３、LAN１０４、PU１１０経由でTSW１１２へ送信する。呼出音停止要求（３８１４）を受信したTSW１１２は、経路３６１４のパスを切断する。これにより、送信されていた呼出音が停止する。
【０１７８】
続いて、CC１０２は、経路３６０１にて、音声パス接続要求（３８１５）を、SC１０３、LAN１０４、TSWSC１０７経由でTSW１０８へ送信するとともに、経路３６０４にて、音声パス接続要求（３８１８）を、SC１０３、LAN１０４、PU１１０経由でTSW１１２へ送信し、さらに、経路３６０６にて、音声パス接続要求（３８１９）を、SC１０３、LAN１０４、PU１１９経由でTSW１２１へ送信する。各音声パス接続要求を受信したTSW１０８、１１２、１２１は、タイムスイッチ全体で経路３６１２の音声パス（現用系の音声パス）を接続する（３９０１）。これにより、電話機１１５と電話機１２５との間で音声通話が可能となる。
【０１７９】
一方、音声パス接続要求（３８１５）を受信した０系TSWSC１０７は、経路３６０８にて音声パスデータコピー（３８１６）を１系TSWSC２４０１へ送信し、音声パスデータコピー（３８１６）を受信したTSWSC２４０１は、経路３６０９にてTSW２４０２へパス接続要求（３６０９）を送信する。これにより、１系のTSW２４０２では０系のTSW１０８と同様の音声パス（経路３６１３）が、予備系の音声パスとして形成されるが、回線モジュール内のセレクタ２６０３により、電話機１１５と電話機１２５との間の音声通話は、０系のTSW１０８の経路３６１２が使用される。
【０１８０】
また、音声パス接続要求（３８１８）を受信した０系PU１１０は、経路３６１０にて音声パスデータコピー（３９０２）を１系PU２４０３へ送信し、音声パスデータコピー（３９０２）を受信したPU２４０３は、経路３６１１にてTSW２４０５へパス接続要求（３９０３）を送信する。これにより、１系のTSW２４０５では０系のTSW１１２と同様の音声パス（経路３６１５）が、予備系の音声パスとして形成されるが、スイッチモジュール内のセレクタ２６０９により、電話機１１５と電話機１２５との間の音声通話は、０系のTSW１１２の経路３６１２が、現用系の音声パスとして使用される。
【０１８１】
さらに、音声パス接続要求（３８１９）を受信した０系PU１１９は、経路３７０１にて音声パスデータコピー（３９０４）を１系PU２５０２へ送信し、音声パスデータコピー（３９０４）を受信したPU２５０２は、経路３７０２にてTSW２５０４へパス接続要求（３９０５）を送信する。これにより、１系のTSW２５０４では０系のTSW１２１と同様の音声パス（経路３６１６）が、予備系の音声パスとして形成されるが、スイッチモジュール内のセレクタ２６１０により、電話機１１５と電話機１２５との間の音声通話は、０系のTSW１２１の経路３６１２が、現用系の音声パスとして使用される。
【０１８２】
ここで、例えば、TSWSC１０７が故障し（３９０８）、経路３６０２にてCC１０２からSC１０３、LAN１０４経由でTSWSC１０７に送信されるライフチェック（３９０７）に対する応答がないとする。すると、CC１０２は、０系のTSWSC１０７が故障していると判断し、１系のTSWSC２４０１へ対して経路３６０３で系切替要求（３９０９）を送信する。系切替要求（３９０９）を受信したTSWSC２４０１は、SBYからACTへの切り替え（３９１０）を実施し、経路３６１３にて１系のTSW２４０２がACTとなった情報（３９１１）をTSW１１２およびTSW１２１へ通知する。１系ACT情報（３９１１）を受信したTSW１１２およびTSW１２１は、セレクタ２６０３、２６０７を切り替え、電話機１１５と電話機１２５とを結ぶ、経路３６１３の音声パス（予備系の音声パス）が接続される（３９１２）。即ち、通話元と通話先とを結ぶ音声パスが、現用系の音声パスから予備系の音声パスに切り替えられ、電話機１１５と電話機１２５との間で音声通話の継続が可能となる。
【０１８３】
この音声通話は、TSW１０８、２４０２、１１２、１２１を使用して、時分割多重されたPCM音声データの伝送が行われる。スイッチモジュール内を二重化しており、ACTでの音声パスデータをSBYへコピーし、音声パスを形成しているため、ACTで故障が発生してもSBYへの切り替えを行い、時分割多重されたPCM音声データの伝送を継続することができる。即ち、故障が発生しても音声品質の劣化を防止し、音声品質を最適な状態に維持することができる。
【０１８４】
なお、CC１０２は、０系の回線モジュールが故障していると判断した場合、運用系の音声パスを形成する経路３６１２の代わりに、予備系の音声パスを形成する経路３６１５、３６１６を選択するための切替要求をPU１１０、２３０４とPU１１９、２５０２に出力することができる。
【０１８５】
本実施例によれば、ACTに属する回線モジュールやスイッチモジュールの一部に故障が生じても、ACTからSBYへの系切り替えを行うことで、音声品質を基準とした通話元電話機と通話先電話機とを結ぶ音声パスの形成を継続することができる。
【０１８６】
この際、電話機１１５を通話元電話機とし、局線１１７に接続される電話機を通話先電話機とした場合、音声パスの形成時に回線モジュール１０９内のTSW１１２での音声パスデータをTSW２４０５へコピーを行い、予備の通話経路を形成することで、故障の際に系切り替えを行い、最適な音声交換を行うための通話経路を維持することができる。
【０１８７】
また、電話機１１５を通話元電話機とし、電話機１２５を通話先電話機とした場合、回線モジュール１０９、１１８およびスイッチモジュール１０６のそれぞれで、音声パスデータ（現用系の音声パスの接続情報）のコピーを行い、予備の通話経路を形成することで、故障の際に系切り替えを行い、最適な音声交換を行うための通話経路を維持することができる。
【０１８８】
なお、上記した実施例は本発明を分かりやすく説明するために詳細に説明したものであり、必ずしも説明した全ての構成を備えるものに限定されるものではない。例えば、ある実施例の構成に他の実施例の構成を加えることも可能である。また、各実施例の構成の一部について、他の構成の追加・削除・置換をすることが可能である。
【０１８９】
また、上記の各構成、機能等は、それらの一部又は全部を、例えば、集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid  State  Drive）等の記録装置、または、ＩＣ（Integrated  Circuit）カード、ＳＤ（Secure  Digital）メモリカード、ＤＶＤ（Digital  Versatile  Disc）等の記録媒体に記録して置くことができる。
【符号の説明】
【０１９０】
１０１  主制御モジュール、１０２  CC、１０３  SC、１０４  LAN、１０６  スイッチモジュール、１０７  TSWSC、１０８  TSW、１０９  回線モジュール、１１０  PU、１１１  TG、１１２  TSW、１１３  MCNT、１１４  LIN、１１６  COT、１１５  電話機、１１７  局線、１１８  回線モジュール、１１９  PU、１２０  TG、１２１  TSW、１２２  MCNT、１２３  PBR、１２４  LIN、１２６、１２７  IP電話機。
【図１】
0005919178.tif 000002
【図２】
0005919178.tif 000003
【図３】
0005919178.tif 000004
【図４】
0005919178.tif 000005
【図５】
0005919178.tif 000006
【図６】
0005919178.tif 000007
【図７】
0005919178.tif 000008
【図８】
0005919178.tif 000009
【図９】
0005919178.tif 000010
【図１０】
0005919178.tif 000011
【図１１】
0005919178.tif 000012
【図１２】
0005919178.tif 000013
【図１３】
0005919178.tif 000014
【図１４】
0005919178.tif 000015
【図１５】
0005919178.tif 000016
【図１６】
0005919178.tif 000017
【図１７】
0005919178.tif 000018
【図１８】
0005919178.tif 000019
【図１９】
0005919178.tif 000020
【図２０】
0005919178.tif 000021
【図２１】
0005919178.tif 000022
【図２２】
0005919178.tif 000023
【図２３】
0005919178.tif 000024
【図２４】
0005919178.tif 000025
【図２５】
0005919178.tif 000026
【図２６】
0005919178.tif 000027
【図２７】
0005919178.tif 000028
【図２８】
0005919178.tif 000029
【図２９】
0005919178.tif 000030
【図３０】
0005919178.tif 000031
【図３１】
0005919178.tif 000032
【図３２】
0005919178.tif 000033
【図３３】
0005919178.tif 000034
【図３４】
0005919178.tif 000035
【図３５】
0005919178.tif 000036
【図３６】
0005919178.tif 000037
【図３７】
0005919178.tif 000038
【図３８】
0005919178.tif 000039
【図３９】
0005919178.tif 000040